(57)【要約】  撮影画像を縮小表示する際、撮影時の撮像装置の姿勢に応じて表示を行うことにより、撮影姿勢に関わらず、視認性の良い快適な縮小画像表示を可能とし、また縦撮り画像を十分に見やすい縮小率で表示させる。表示部（５５）は画像信号に基づき画像を表示する。撮像光学系（Ｌ）は被写体の光学的な像を形成し、撮像部（４）は撮像光学系によって形成された光学的な像を受光し、光学的な像を電気的な画像信号に変換する。姿勢検出部（４３）は撮影時の撮像装置の姿勢を検出する。記録部（１２）は撮影画像と撮像装置の姿勢に関する姿勢情報とを記録する。画像表示制御部（１３）は撮影画像の天地方向を撮影時における撮像装置の姿勢に復元し、復元した撮影画像の縮小画像の一部を切り出して、切り出し画像を表示部に表示させる。【特許請求の範囲】
【請求項１】
被写体の光学的な像を電気的な画像信号として出力する撮像装置であって、
前記画像信号に基づき画像を表示する表示部と、
被写体の光学的な像を形成する撮像光学系と、
前記撮像光学系によって形成された光学的な像を受光し、光学的な像を電気的な画像信号に変換する撮像部と、
撮影時の前記撮像装置の姿勢を検出する姿勢検出部と、
前記撮像部により得られる撮影画像と、前記姿勢検出部により検出され当該撮影画像に対応する前記撮像装置の姿勢に関する姿勢情報とを記録する記録部と、
前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる画像表示制御部とを備える、撮像装置。
【請求項２】
交換可能な撮影光学系により形成された被写体の光学的な像を電気的な画像信号として出力する撮像装置であって、
前記画像信号に基づき画像を表示する表示部と、
装着された前記撮像光学系により形成された光学的な像を受光し、光学的な像を電気的な画像信号に変換する撮像部と、
撮影時の前記撮像装置の姿勢を検出する姿勢検出部と、
前記撮像部により得られる撮影画像と、前記姿勢検出部により検出され当該撮影画像に対応する前記撮像装置の姿勢に関する姿勢情報とを記録する記録部と、
前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる画像表示制御部とを備える、撮像装置。
【請求項３】
前記記録部に記録された撮影画像のうち、前記復元後の撮影画像の縦横比が前記表示部の縦横比と異なる前記撮影画像を抽出する画像抽出部をさらに備え、
前記画像表示制御部は、当該抽出された前記撮影画像を前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる、請求項１に記載の撮像装置。
【請求項４】
前記記録部に記録された撮影画像のうち、等しい姿勢情報または縦横比を有する撮影画像を抽出する画像抽出部をさらに備え、
前記画像表示制御部は、当該抽出された前記撮影画像を前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる、請求項１に記載の撮像装置。
【請求項５】
前記画像表示制御部は、前記記録部に記録された前記撮影画像と異なる中心位置を有する前記切り出し画像を前記表示部に表示させる、請求項１に記載の撮像装置。
【請求項６】
前記撮影画像の縮小率を設定する縮小率設定部をさらに備え、
前記画像表示制御部は、前記設定された縮小率に基づいて前記復元後の前記撮影画像を縮小した縮小画像の一部を切り出して、当該切り出し画像を表示部に表示させる、請求項１に記載の撮像装置。
【請求項７】
前記復元後の前記撮影画像の短辺長と前記表示部の長辺長とが略等しくなるように前記撮影画像の縮小率を設定する縮小率設定部をさらに備え、
前記画像表示制御部は、前記設定された縮小率に基づいて前記復元後の前記撮影画像を縮小した縮小画像の一部を切り出して、当該切り出し画像を表示部に表示させることを特徴とする、請求項１に記載の撮像装置。
【請求項８】
前記撮影画像の縮小画像から一部の領域を選択設定する領域選択部をさらに備え、
前記画像表示制御部は、前記復元した前記撮影画像の縮小画像から当該選択された領域を切り出して、当該切り出し画像を前記表示部に表示させる、請求項１に記載の撮像装置。
【請求項９】
前記撮影画像の縮小画像から一部の領域を選択設定する領域選択部と、
前記記録部に記録された前記姿勢情報から縦方向情報を有する撮影画像を抽出する縦画像抽出部とをさらに備え、
前記領域設定部は、前記画像抽出部により抽出された前記撮影画像の上部領域、中央部領域、下部領域のいずれかの領域を選択可能である、請求項１に記載の撮像装置。
【請求項１０】
前記撮影画像の縮小画像から一部の領域を選択設定する領域選択部をさらに備え、
前記画像表示制御部は、前記復元した前記撮影画像の縮小画像から当該選択された領域を切り出して、当該切り出し画像を前記表示部に表示させる、請求項１に記載の撮像装置。
前記記録部に記録された前記撮影画像に含まれる属性を認識する画像属性認識部と、
前記撮影画像の縮小画像から前記認識された属性を含む領域を選択設定する領域選択部とをさらに備え、
前記画像表示制御部は、前記復元した前記撮影画像の縮小画像から当該選択された領域を切り出して、当該切り出し画像を前記表示部に表示させる、請求項１に記載の撮像装置。
【請求項１１】
前記記録部に記録された前記撮影画像から特定の色を認識する色認識部と、
前記撮影画像の縮小画像から前記認識された特定の色を含む領域を選択設定する領域選択部とをさらに備え、
前記画像表示制御部は、前記復元した前記撮影画像の縮小画像から当該選択された領域を切り出して、当該切り出し画像を前記表示部に表示させる、請求項１に記載の撮像装置。
【請求項１２】
前記記録部に記録された前記撮影画像から被写体の顔領域を認識する顔認識部と、
前記撮影画像の縮小画像から前記認識された顔領域を選択設定する領域選択部とをさらに備え、
前記画像表示制御部は、前記復元した前記撮影画像の縮小画像から当該選択された領域を切り出して、当該切り出し画像を前記表示部に表示させる、請求項１に記載の撮像装置。
【請求項１３】
前記記録部に記録された前記姿勢情報から縦方向情報を有する撮影画像を抽出する縦画像抽出部をさらに備え、
前記画像表示制御部は、当該抽出された前記撮影画像の短辺長が前記表示部の長辺長と略等しくなるように当該撮影画像を縮小し、当該縮小画像の上端を含む領域を切り出して、当該切り出し画像を前記表示部に表示させる、請求項１に記載の撮像装置。
【請求項１４】
被写体の光学的な像を電気的な画像信号として出力し、表示部に接続可能な撮像装置であって、
被写体の光学的な像を形成する撮像光学系と、
前記撮像光学系によって形成された光学的な像を受光し、光学的な像を電気的な画像信号に変換する撮像部と、
撮影時の前記撮像装置の姿勢を検出する姿勢検出部と、
前記撮像部により得られる撮影画像と、前記姿勢検出部により検出され当該撮影画像に対応する前記撮像装置の姿勢に関する姿勢情報とを記録する記録部と、
前記記録部に記録された前記撮影画像の表示を制御する制御信号を生成する画像表示制御部と、
当該生成された制御信号と、前記撮影画像とを前記表示部に供給する出力部とを備え、
前記制御信号は、前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる信号を含む、撮像装置。
【請求項１５】
表示部に接続可能な表示制御装置であって、
記録部に記録された撮影画像と前記撮影画像に対応する撮像装置の姿勢に関する姿勢情報とを読み出す読み出し部と、
前記撮影画像の縮小画像を表示させる制御信号を生成する画像表示制御部と、
前記読み出された前記撮影画像と前記姿勢情報とを前記表示部に供給する出力部とを備え、
前記制御信号は、前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる信号を含む、表示制御装置。
【請求項１６】
前記記録部に記録された撮影画像のうち、等しい姿勢情報または縦横比を有する撮影画像を抽出する画像抽出部をさらに備え、
前記制御信号は、前記姿勢情報に基づいて当該抽出された撮影画像の天地方向を撮影時における前記撮像装置の前記姿勢に復元し、復元した当該撮影画像の縮小画像の一部を切り出して、当該切り出し画像を前記表示部に表示させる信号を含むことを特徴とする、請求項１５に記載の表示制御装置。
【請求項１７】
前記制御信号は、前記切り出し画像の表示枚数を制御可能な信号を含むことを特徴とする、請求項１４または１５のいずれかに記載の撮像装置。
【発明の詳細な説明】
【技術分野】
【０００１】
本発明は、撮像装置により撮影された画像の表示方法に関し、より特定的には、撮像装置の姿勢情報に基づいて撮影画像の表示方法を制御する撮像装置、表示制御装置および表示装置に関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサおよび信号処理回路の集積度が向上し、かつ安価に提供できるようになったため、被写体の光学的な像を電気的な画像信号に変換して出力可能なデジタルスチルカメラやデジタルビデオカメラ（以下、単にデジタルカメラという）が急速に普及している。【０００３】
図２０は、デジタルカメラの姿勢と表示部に表示される撮影画像の姿勢との関係を示す図である。図２０に示すように、撮影者は撮影意図に応じ、デジタルカメラ１００の姿勢を変化させて撮影を行う。例えば、風景など横長の被写体を撮影する場合、撮影者はデジタルカメラ１００の姿勢を横状態として撮影を行う。一方、人物や建物など縦長の被写体を撮影する場合、撮影者はデジタルカメラ１００の姿勢を縦状態として撮影を行う。以下、図２０Ａに示すように、シャッターボタンのストローク方向が、重力方向に対して平行になるときのデジタルカメラ１００の姿勢を横撮り姿勢という。また、図２０Ｂに示すように、シャッターボタンのストローク方向が、重力方向に対して直交するときのデジタルカメラ１００の姿勢を縦撮り姿勢という。さらに、横撮り姿勢で撮影された画像を横撮り画像あるいは横画像といい、縦撮り姿勢で撮影された画像を縦撮り画像あるいは縦画像という。従来のデジタルカメラ１００において、撮影画像は、撮影時のデジタルカメラ１００の姿勢と同じ向きで表示されていた。すなわち、図２０Ｂに示すように縦撮り姿勢で撮影した画像を、図２０Ｃに示すように、デジタルカメラ１００を横状態として、表示部に表示させた場合、表示される撮影画像の天地方向は撮影時の天地方向と異なって表示される。したがって、縦撮り画像および横撮り画像が混在する一連の撮影画像を表示する際、縦撮り画像の天地が撮影時の天地と異なるために見づらくなるという問題があった。【０００４】
この問題に対して、撮像装置に光電変換手段の回転状態を検出する回転状態検出手段と、光電変換手段の出力に基づき得られる画像情報に、撮像時における回転状態情報を付加する付加手段とを設ける技術が提案されている（特許文献１）。【０００５】
回転状態情報を撮像画像信号に付加することにより、撮影時のデジタルカメラの撮影姿勢を検出し、横撮り姿勢あるいは縦撮り姿勢の撮影画像にかかわらず、撮影時の姿勢に応じた表示を行うことができる。
【特許文献１】特開２００１−４５３５４号公報
【発明の開示】
【発明が解決しようとする課題】
【０００６】
撮影者が撮影した複数の画像を表示する際、デジタルカメラに設けられた表示部２００に撮影画像を一覧表示させる方法がある。各撮影画像は一覧表示するために縮小されて表示される。以下、表示部に複数の画像を一覧表示することをサムネイル表示といい、一覧表示するために縮小された画像をサムネイル画像という。また、横撮り姿勢で撮影された画像のサムネイル画像を横撮りサムネイル画像といい、縦撮り姿勢で撮影された画像のサムネイル画像を縦撮りサムネイル画像という。【０００７】
図２１に示すように、特許文献１に記載された発明によれば、撮影画像をサムネイル表示する場合、横撮り画像あるいは縦撮り画像にかかわらず、撮影時の姿勢に応じた表示を行うことができる。しかしながら、表示部２００に表示される縦撮りサムネイル画像は、横撮りサムネイル画像と比べて横方向に表示される範囲が狭く、拡大して表示することができない。したがって、表示部２００に表示される縦撮りサムネイル画像の大きさは、横撮りサムネイル画像の大きさと比べて小さく表示されることになり、撮影者にとって見づらく、視認性が悪いという問題があった。【０００８】
そこで本発明の目的は、撮影画像を縮小表示する際、撮影時の撮像装置の姿勢に応じて表示を行うことにより、撮影姿勢に関わらず、視認性の良い快適な縮小画像表示を可能とする撮像装置、さらに、これを可能とする表示制御装置および表示装置を提供することにある。【０００９】
また本発明の目的は、撮影画像を縮小表示する際、縦撮り画像を十分に見やすい縮小率で表示させることにより、視認性の良い快適な縮小画像表示を可能とする撮像装置、表示制御装置および表示装置を提供することにある。
【課題を解決するための手段】
【００１０】
本発明の目的は、以下の構成を備えた撮像装置により達成される。被写体の光学的な像を電気的な画像信号として出力する撮像装置であって、
画像信号に基づき画像を表示する表示部と、
被写体の光学的な像を形成する撮像光学系と、
撮像光学系によって形成された光学的な像を受光し、光学的な像を電気的な画像信号に変換する撮像部と、
撮影時の撮像装置の姿勢を検出する姿勢検出部と、
撮像部により得られる撮影画像と、姿勢検出部により検出され撮影画像に対応する撮像装置の姿勢に関する姿勢情報とを記録する記録部と、
姿勢情報に基づいて撮影画像の天地方向を撮影時における撮像装置の姿勢に復元し、復元した撮影画像の縮小画像の一部を切り出して、切り出し画像を表示部に表示させる画像表示制御部とを備える。【００１１】
本発明の目的は、以下の構成を備えた撮像装置によって達成される。交換可能な撮影光学系により形成された被写体の光学的な像を電気的な画像信号として出力する撮像装置であって、
画像信号に基づき画像を表示する表示部と、
装着された撮像光学系により形成された光学的な像を受光し、光学的な像を電気的な画像信号に変換する撮像部と、
撮影時の撮像装置の姿勢を検出する姿勢検出部と、
撮像部により得られる撮影画像と、姿勢検出部により検出され撮影画像に対応する撮像装置の姿勢に関する姿勢情報とを記録する記録部と、
姿勢情報に基づいて撮影画像の天地方向を撮影時における撮像装置の姿勢に復元し、復元した撮影画像の縮小画像の一部を切り出して、切り出し画像を表示部に表示させる画像表示制御部とを備える。【００１２】
本発明の目的は、以下の構成を備えた撮像装置によって達成される。被写体の光学的な像を電気的な画像信号として出力し、表示部に接続可能な撮像装置であって、
被写体の光学的な像を形成する撮像光学系と、
撮像光学系によって形成された光学的な像を受光し、光学的な像を電気的な画像信号に変換する撮像部と、
撮影時の撮像装置の姿勢を検出する姿勢検出部と、
撮像部により得られる撮影画像と、姿勢検出部により検出され撮影画像に対応する撮像装置の姿勢に関する姿勢情報とを記録する記録部と、
記録部に記録された撮影画像の表示を制御する制御信号を生成する画像表示制御部と、
生成された制御信号と、撮影画像とを表示部に供給する出力部とを備え、
制御信号は、姿勢情報に基づいて撮影画像の天地方向を撮影時における撮像装置の姿勢に復元し、復元した撮影画像の縮小画像の一部を切り出して、切り出し画像を表示部に表示させる信号を含む。【００１３】
本発明の目的は、以下の構成を備えた表示制御装置によって達成される。表示部に接続可能な表示制御装置であって、
記録部に記録された撮影画像と撮影画像に対応する撮像装置の姿勢に関する姿勢情報とを読み出す読み出し部と、
撮影画像の縮小画像を表示させる制御信号を生成する画像表示制御部と、
読み出された撮影画像と姿勢情報とを表示部に供給する出力部とを備え、
制御信号は、姿勢情報に基づいて撮影画像の天地方向を撮影時における撮像装置の姿勢に復元し、復元した撮影画像の縮小画像の一部を切り出して、切り出し画像を表示部に表示させる信号を含む。
【発明の効果】
【００１４】
本発明によれば、撮影画像を縮小表示する際、撮影時の撮像装置の姿勢に応じて表示を行うことにより、撮影姿勢に関わらず、快適な縮小画像表示を可能とする撮像装置、さらに、これを可能とする表示制御装置および表示装置を提供することができる。【００１５】
また本発明によれば、撮影画像を縮小表示する際、縦撮り画像を十分に見やすい縮小率で表示させることにより、快適な縮小画像表示を可能とする撮像装置、表示制御装置および表示装置を提供することができる。
【図面の簡単な説明】
【００１６】
【図１】図１は、実施の形態１におけるデジタルカメラの制御システムを示すブロック図である。
【図２Ａ】図２Ａは、実施の形態１におけるデジタルカメラの上面図である。
【図２Ｂ】図２Ｂは、実施の形態１におけるデジタルカメラの背面図である。
【図３】図３は、実施の形態１に係る撮影姿勢別の姿勢判別信号を示す図である。
【図４】図４は、実施の形態１に係る撮影した画像ファイルの管理方法を説明する図である。
【図５】図５は、実施の形態１に係る撮影画像の記録方法を示し、記録開始から記録終了までのフローチャートである。
【図６】図６は、実施の形態１に係る表示部に表示される縦画像表示領域選択メニューを示す図である。
【図７Ａ】図７Ａは、実施の形態１において横撮り姿勢で撮影された画像の表示例である。
【図７Ｂ】図７Ｂは、実施の形態１において縦撮り姿勢で撮影された画像の表示例である。
【図８Ａ】図８Ａは、実施の形態１に含まれる縦画像表示領域選択メニューおいて上部領域選択ボタンが選択された場合の表示部の表示状態を示す図である。
【図８Ｂ】図８Ｂは、実施の形態１に含まれる縦画像表示領域選択メニューおいて中央部領域選択ボタンが選択された場合の表示部の表示状態を示す図である。
【図８Ｃ】図８Ｃは、実施の形態１に含まれる縦画像表示領域選択メニューおいて下部領域選択ボタンが選択された場合の表示部の表示状態を示す図である。
【図９Ａ】図９Ａは、実施の形態１に含まれる縦画像表示領域選択メニューのうち全域選択ボタンが選択された場合のサムネイル表示例である。
【図９Ｂ】図９Ｂは、実施の形態１に含まれる縦画像表示領域選択メニューのうち上部選択ボタンが選択された場合のサムネイル表示例である。
【図１０】図１０は、実施の形態１における縦横画像選択メニューの表示例を示す図である。図１０は、表示部５５に表示される縦横画像選択メニューを示し、図１１は、横撮りあるいは縦撮り画像のみをサムネイル表示させた場合の表示部５５の表示例である。
【図１１Ａ】図１１Ａは、実施の形態１に含まれる表示部におけるサムネイル表示例である。
【図１１Ｂ】図１１Ｂは、実施の形態１に含まれる表示部におけるサムネイル表示例である。
【図１１Ｃ】図１１Ｃは、実施の形態１に含まれる表示部におけるサムネイル表示例である。
【図１２Ａ】図１２Ａは、実施の形態２に含まれる表示部における縦画像表示領域選択メニューの表示例である。
【図１２Ｂ】図１２Ｂは、実施の形態２に含まれる表示部における特定色選択メニューの表示例である。
【図１３Ａ】図１３Ａは、実施の形態２に係る表示部に表示される縦撮り画像の図である。
【図１３Ｂ】図１３Ｂは、実施の形態２に係る表示部に表示される縦撮り画像の図である。
【図１４Ａ】図１４Ａは、実施の形態２に係る表示部に表示される縦撮り画像の図である。
【図１４Ｂ】図１４Ｂは、実施の形態２に係る表示部に表示される縦撮り画像の図である。
【図１４Ｃ】図１４Ｃは、実施の形態２に係る表示部に表示される縦撮り画像の図である。
【図１５Ａ】図１５Ａは、実施の形態３における表示部に表示される撮影画像を示す図である。
【図１５Ｂ】図１５Ｂは、実施の形態３における表示部に表示される撮影画像を示す図である。
【図１６Ａ】図１６Ａは、実施の形態３に係る表示部に表示される縦撮り画像の拡大率を示す図である。
【図１６Ｂ】図１６Ｂは、実施の形態３に係る表示部に表示される縦撮り画像の拡大率を示す図である。
【図１７Ａ】図１７Ａは、実施の形態４に係るモード設定部を示す図である。
【図１７Ｂ】図１７Ｂは、実施の形態４に係るモード設定部を示す図である。
【図１８】図１８は、実施の形態５に係る撮像装置および表示装置を示す図である。
【図１９】図１９は、実施の形態６に係る撮像装置および表示装置を示す図である。
【図２０Ａ】図２０Ａは、デジタルカメラの姿勢と表示部に表示される撮影画像の姿勢との関係を示す図である。
【図２０Ｂ】図２０Ｂは、デジタルカメラの姿勢と表示部に表示される撮影画像の姿勢との関係を示す図である。
【図２０Ｃ】図２０Ｃは、デジタルカメラの姿勢と表示部に表示される撮影画像の姿勢との関係を示す図である。
【図２１】図２１は、サムネイル表示した場合の表示部を示す図である。
【符号の説明】
【００１７】
１  デジタルカメラ
１ａ  筐体
２  レンズ
３  マイクロコンピュータ
３Ａ  信号処理部
４  撮像センサ
５  ＣＣＤ駆動制御部
６  アナログ信号処理部
７  Ａ／Ｄ変換部
８  デジタル信号処理部
９  バッファメモリ
１０  画像圧縮部
１１  画像記録制御部
１２  画像記録部
１３  画像表示制御部
３５  電源スイッチ
３６  シャッター操作部
３７  撮影／再生切換操作部
３７ｂ  撮影／再生切換操作部
３８  十字操作キー
３９  ＭＥＮＵ設定操作部
４０  ＳＥＴ操作部
４１  シャッター制御部
４２  シャッター駆動モータ
４３  姿勢検出部
５０  内部メモリ
５１  リムーバブルメモリ
５５  表示部
５７  ズーム操作部
６０  姿勢判別信号
６１  シーンモード選択メニュー
６５  縦横画像選択メニュー
６６  縦画像表示領域選択メニュー
６７  縦画像表示領域選択メニュー
７０  表示装置
７５  ケーブル
８０  表示装置
８１  リムーバブルメモリ挿入部
８２  表示制御装置
９０  撮影画像フォルダ
９１  静止画像フォルダ
９２  動画像フォルダ
９３  横姿勢画像フォルダ
９４  縦姿勢画像フォルダ
９５  静止画像ファイル
９６  動画像ファイル
Ｌ  撮像光学系
Ｌ１  第１レンズ群
Ｌ２  第２レンズ群
Ｌ３  第３レンズ群
【発明を実施するための最良の形態】
【００１８】
（実施の形態１）
図１は、本発明の実施の形態１に係るデジタルカメラ１の概略構成を示すブロック図である。図１において、デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、表示部５５と、シャッター制御部４１と、シャッター駆動モータ４２とを備えている。【００１９】
撮像光学系Ｌは、３つのレンズ群Ｌ１、Ｌ２、Ｌ３を含む光学系である。第１レンズ群Ｌ１は、光軸方向に移動することによりフォーカシングを行い、第３レンズ群Ｌ３は、光軸方向に移動することによりズーミングを行う。また、第２レンズ群Ｌ２は、補正レンズ群であって、光軸に垂直な面内を移動することにより光軸を偏心させて画像の動きを補正する役割を果たしている。【００２０】
機械的な振動や撮影者による揺れ等がデジタルカメラ１に加わると、被写体からレンズに向かって照射される光のうち被写体像の形成に寄与する光の光軸は、レンズの光軸とずれる。したがって、得られる画像は不鮮明な画像となる。これを防ぐための防止機構を、以下像ブレ補正機構という。【００２１】
マイクロコンピュータ３は、デジタルカメラ１の各種の制御部全体を制御する。また、マイクロコンピュータ３は、電源スイッチ３５、シャッター操作部３６、撮影／再生切換操作部３７、十字操作キー３８、ＭＥＮＵ設定操作部３９およびＳＥＴ操作部４０からの信号を、それぞれ受信可能である。【００２２】
シャッター制御部４１は、シャッター操作部３６の操作によるタイミング信号により、マイクロコンピュータ３からの制御信号に基づいて、シャッター駆動モータ４２を駆動し、シャッターを動作させる。【００２３】
撮像センサ４は、ＣＣＤであり、撮影光学系Ｌにより形成される光学的な像を電気的な信号に変換する。撮像センサ４は、ＣＣＤ駆動制御部５により駆動制御される。なお、撮像センサ４は、ＣＭＯＳでもよい。【００２４】
撮像センサ４から出力された画像信号は、アナログ信号処理部６から、Ａ／Ｄ変換部７、デジタル信号処理部８、バッファメモリ９、画像圧縮部１０へと、順次送られて処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号に対してノイズ除去や輪郭強調等のデジタル信号処理を施す。バッファメモリ９は、ＲＡＭ（Ｒａｎｄｏｍ  Ａｃｃｅｓｓ  Ｍｅｍｏｒｙ）であり、デジタル信号処理部８により処理された画像信号を一旦記憶する。【００２５】
さらに、バッファメモリ９に記憶された画像信号は、画像圧縮部１０から画像記録部１２へと、順次送られて処理される。バッファメモリ９に記憶された画像信号は、画像記録制御部１１の指令により読み出されて画像圧縮部１０に送信され、画像信号のデータは所定の大きさに圧縮される。この際、画像信号は、所定の比率で圧縮され、そのデータサイズが小さくなる。この圧縮方法として、例えばＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。また同時に、画像圧縮部１０はサムネイル表示等に用いられる撮影画像に対応する縮小画像信号についても生成する。その後、圧縮された画像信号および縮小画像信号は、画像記録部１２へ送信される。【００２６】
画像記録部１２は、さらに内部メモリ５０および／又は着脱可能なリムーバブルメモリ５１により構成され、画像記録制御部１１の指令に基づいて、画像信号と、対応する縮小画像信号と、記録すべき所定の情報とを関連付けて記録する。これらの画像信号とともに記録すべき所定の情報は、画像を撮影した際の日時と、焦点距離情報と、シャッタースピード情報と、絞り値情報と、撮影モード情報と、後述するデジタルカメラ１の姿勢情報とを含む。【００２７】
画像表示制御部１３は、マイクロコンピュータ３からの制御信号により制御される。この画像表示制御部１３の指令により、表示部５５は、画像記録部１２あるいはバッファメモリ９に記録された画像信号を可視画像として表示する。表示部５５の表示形態は、画像信号のみの表示形態と、画像信号の撮影時の情報を表示する形態とがある。画像信号の撮影時の情報は、焦点距離情報と、シャッタースピード情報と、絞り値情報と、撮影モード情報と、合焦状態情報と、姿勢情報とを含む。これらの情報は、ＭＥＮＵ設定操作部３９の操作により表示される。【００２８】
次に、実施の形態１に係るデジタルカメラ１の構成について、図２を用いて説明する。図２Ａは、デジタルカメラ１の上面図、図２Ｂは、デジタルカメラ１の背面図である。【００２９】
筐体１ａは、前面にレンズ２を含む撮像光学系を備え、背面に電源スイッチ３５と、撮影／再生切換操作部３７と、十字操作キー３８と、ＭＥＮＵ設定操作部３９と、ＳＥＴ操作部４０と、アスペクト比が４：３の液晶モニタからなる表示部５５とを含む。さらに、筐体１ａの上面は、シャッター操作部３６と、ズーム操作部５７とを備える。【００３０】
ズーム操作部５７は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換えを行う操作部材であり、レバーを回動させることにより切換えを行う。マイクロコンピュータ３は、撮影モードに切換えられた状態でズーム操作部５７が右方向へ回動されると撮影光学系Ｌを望遠側へ移動するように制御し、左方向へ回動されると撮影光学系Ｌを広角側へ移動するように制御する。ＭＥＮＵ設定操作部３９は、表示部５５に各種メニューを表示させるための操作部材である。十字操作キー３８は、ＭＥＮＵ設定操作部３９が操作されることにより表示部５５に表示される各種操作メニューから所望のメニューを選択するための操作部材であり、上下左右の選択ボタンを有する。十字操作キー３８により各種操作メニューが選択されると、マイクロコンピュータ３は選択されたメニューの実行指令を出す。ＳＥＴ操作部４０は、各種操作メニューの表示を、表示前の状態に戻すための操作部材である。【００３１】
次に、本実施の形態に係るデジタルカメラ１の姿勢を検出する姿勢検出部４３について説明する。現在世の中には様々な姿勢検出部がある。その一例として特許文献１に開示されているように回転検出装置を取り付けたものがある。あるいは、撮像装置に加わる振動を検知して、撮像光学系の補正レンズを光軸と直交する２方向に駆動する像ブレ補正装置を備えたデジタルカメラにおいて、補正レンズを駆動させるための信号を検出することにより、撮像装置の姿勢を判別するものであってもよい。さらに、これらの姿勢検出部を備えてもよいし、また、これらに限らずデジタルカメラに角速度センサ等を取り付けてもよく、つまり、その方法によらず姿勢を検出する構成を備えていればよい。【００３２】
次に、本実施の形態に係るデジタルカメラ１の動作について、図３を用いて説明する。ここで、横撮りの姿勢におけるデジタルカメラ１の姿勢を基準とし、そのときの角度を０°とする。また、縦撮りの姿勢におけるデジタルカメラ１の姿勢は、横撮り姿勢から光軸を中心として９０°回転させた状態となる。【００３３】
図３は撮影姿勢別の姿勢判別信号を示す図である。撮影者が撮影する際には、まず電源スイッチ３５をＯＮ側とした後、撮影／再生切換操作部３７を撮影モードに切り替える。これにより、デジタルカメラ１は撮影可能な状態へ移行する。【００３４】
撮影者が横撮り姿勢で、風景など横長の被写体を撮影する場合について説明する。姿勢検出部４３の出力値から、マイクロコンピュータ３は、デジタルカメラ１の姿勢が横撮り姿勢であることを判別する。この状態で撮影者は、シャッター操作部３６を押すことにより、被写体を撮影することができる。ここで、横撮り姿勢により撮影された画像のアスペクト比は４：３となる。そして撮影された画像は、画像記録部１２に記録される。この際、図３に示すように、画像記録制御部１１は、デジタルカメラ１の撮影姿勢が０°であったことを示す姿勢判別信号６０（０）を、バッファメモリ９から出力される画像信号に付加する。この姿勢判別信号６０は、例えば画像信号のヘッダーあるいはフッター部分に記録される。なお、姿勢判別信号６０を記録する場所は、バッファメモリ９あるいは画像記録部１２内のいずれにおいて行ってもよい。【００３５】
一方、撮影者が縦撮り姿勢で、人物など縦長の被写体を撮影する場合、横撮り姿勢の場合と同様に、姿勢検出部４３の出力値から、マイクロコンピュータ３は、デジタルカメラ１の姿勢が縦撮り姿勢であることを判別する。この状態で撮影者は、シャッター操作部３６を押すことにより、被写体を撮影することができる。ここで、縦撮り姿勢にて撮影された画像のアスペクト比は３：４となる。そして撮影された画像は、画像記録部１２に記録される。この際、画像記録制御部１１は、デジタルカメラ１の撮影姿勢が光軸を中心として横撮り姿勢から９０°回転した縦撮り姿勢であったことを示す姿勢判別信号６０（１）を、バッファメモリ９から出力される画像信号に付加する。【００３６】
次に、撮影した画像ファイルの管理方法について図４および図５を用いて説明する。図４において、内部メモリ５０またはリムーバブルメモリ５１に、撮影画像フォルダ９０と、その下の階層に静止画像フォルダ９１および動画像フォルダ９２とが形成される。さらに、静止画像フォルダ９１および動画像フォルダ９２のそれぞれ下の階層に、横姿勢画像フォルダ９３ａおよび９３ｂと縦姿勢画像フォルダ９４ａおよび９４ｂとが形成される。したがって、撮影した画像は、静止画像もしくは動画画像別に、それぞれのフォルダに振り分けられた後、さらに撮影時の撮影姿勢に応じて格納される。静止画撮影モードにおいて撮影された静止画像は、静止画像ファイル９５として、横姿勢画像フォルダ９３ａあるいは縦姿勢画像フォルダ９４ａのいずれかに格納される。一方、動画撮影モードでは、撮影された動画像は、動画像ファイル９６として、横姿勢画像フォルダ９３ｂあるいは縦姿勢画像フォルダ９４ｂのいずれかに格納される。【００３７】
図５は、撮影画像の記録方法を示し、記録開始から記録終了までのフローチャートを示す。まず、撮影者は撮影画像を記録するために、ＭＥＮＵ設定操作部３９を押し、表示部５５に各種メニュー画面を表示させる。そして、表示された各種メニュー画面から画像記録を選択する。これにより、デジタルカメラ１は、画像記録のモードへ移行する（ステップＳ１）。次に、マイクロコンピュータ３は、撮影モードの判定を行う。すなわちマイクロコンピュータ３は、撮影者が静止画または動画撮影モードのいずれかを選択をしているのかを判断する（ステップＳ２）。【００３８】
撮影者が静止画撮影モードを選択している場合、マイクロコンピュータ３は、撮影画像の記録先ディレクトリを静止画像フォルダ９１に設定する（ステップＳ３）。そして、デジタルカメラ１の姿勢が姿勢検出部４３により判断される（ステップＳ４）。さらに、撮影画像の格納フォルダは、横撮り姿勢で撮影された場合は横姿勢画像フォルダ９３ａに設定され、一方、縦撮り姿勢で撮影された場合は縦姿勢画像フォルダ９４ａに設定される（ステップＳ５ａおよびＳ５ｂ）。次に、撮影者によりシャッター操作部３６が押されるのを待ち（ステップＳ６）、押された場合には静止画撮影を行い（ステップＳ７）、その後、記録は終了する（ステップＳ８）。この際、撮影された静止画像は、画像ファイル９５ａ、９５ｂとして、横姿勢画像フォルダ９３ａあるいは縦姿勢画像フォルダ９４ａ内に格納される。【００３９】
一方、撮影者が動画撮影モードを選択している場合、マイクロコンピュータ３は、撮影画像の記録先ディレクトリを動画像フォルダ９２に設定する（ステップＳ９）。そして、デジタルカメラ１の姿勢が、姿勢検出部４３により判断される（ステップＳ１０）。さらに、撮影した画像の格納フォルダは、横撮り姿勢で撮影された場合は横姿勢画像フォルダ９３ｂに設定され、一方、縦撮り姿勢で撮影された場合は縦姿勢画像フォルダ９４ｂに設定される（Ｓｔｅｐ１０）。次に、シャッター操作部３６が押されるのを待ち（Ｓｔｅｐ１２）、押された場合には静止画撮影を行い（Ｓｔｅｐ１３）、その後、記録は終了する（Ｓｔｅｐ８）。この際、撮影された静止画像は、画像ファイル９６ａ、９６ｂとして、横姿勢画像フォルダ９３ｂあるいは縦姿勢画像フォルダ９４ｂ内に格納される。【００４０】
次に、撮影画像の表示処理について説明する。図６は、表示部５５に表示される縦画像表示領域選択メニュー６６を示している。縦画像表示領域選択メニュー６６は、全域選択ボタン６６ａ、上部領域選択ボタン６６ｂ、中央部領域選択ボタン６６ｃ、下部領域選択ボタン６６ｄの領域選択ボタンにより構成される。撮影者は、いずれかの領域選択ボタンを押すことにより縦画像全域のうち表示させたい領域をあらかじめ選択することができる。【００４１】
まず撮影者は、表示部５５に撮影された画像を表示させるために電源スイッチ３５をＯＮとした後、撮影／再生切換操作部３７を再生モードに切換える。これにより、表示部５５には撮影された画像がサムネイル表示される。そして、撮影者はサムネイル表示された画像の中から十字操作キー３８を用いて画像を選択する。以上の操作により、表示部５５には１枚の撮影画像を表示することができる。このとき画像表示制御部１３は、撮影した際に記録された姿勢判別信号６０と、縦画像表示領域選択メニュー６６において選択された表示領域に関する情報とに基づき表示させる画像を制御する。ここで、横撮り姿勢で撮影された画像は、撮影の際に横撮り姿勢であることを示す姿勢判別信号６０（０）が付加されている。したがって、図７Ａに示すように、画像表示制御部１３は、撮影画像の姿勢を撮影時と同じ姿勢に復元して表示部５５に表示させる。【００４２】
一方、縦撮り姿勢で撮影された画像は、撮影の際に縦撮り姿勢であることを示す姿勢判別信号６０（１）が付加されている。したがって、図７Ｂに示すように、画像表示制御部１３は、撮影画像の姿勢を９０°回転させた状態、すなわち撮影時と同じ姿勢に復元して表示部５５に表示させる。ここで画像表示制御部１３は、縦画像表示領域選択メニュー６６で選択された表示領域の画像を表示する。例えば、縦画像表示領域選択メニュー６６のうち全域選択ボタン６６ａが選択されると、画像表示制御部１３は縦撮り画像全域を表示部５５に表示する。縦画像表示領域選択メニュー６６のうち、上部領域選択ボタン６６ｂが選択されると、画像表示制御部１３は撮影画像の上部領域を表示する。同様に中央部領域選択ボタン６６ｃ、下部領域選択ボタン６６ｄが選択されると、画像表示制御部１３はそれぞれ撮影画像の中央部あるいは下部領域を表示する。図８Ａ、Ｂ、Ｃは、それぞれ縦画像表示領域選択メニュー６６において上部、中央部、下部の各領域選択ボタンが選択された場合の表示部５５の表示状態を示している。図７Ｂに示したように、表示部５５に縦撮り画像全域を表示すると、横撮り画像を表示した場合（図７Ａ）に比べて縮小されて表示される。そこで、縦画像表示領域選択メニュー６６により縦画像全域のうち選択領域のみを表示することにより、縦画像全域を表示する場合と比べて拡大して表示することができる。したがって、縦撮り画像であっても、横撮り画像と同等に画像の確認が容易で快適な縮小画像表示を行うことができる。【００４３】
次に、サムネイル画像の表示処理について説明する。図９ＡおよびＢは、横撮りサムネイル画像と縦撮りサムネイル画像とが混在して表示された表示部５５の表示例を示している。表示部５５には、１〜９番の９つのサムネイル画像が一覧表示されている。１〜７番の７つのサムネイル画像は、横撮りサムネイル画像であり、８および９番の２つのサムネイル画像は、縦撮りサムネイル画像である。横撮り画像は、撮影姿勢が横撮り姿勢に対して光軸を中心に０°回転していることを示す姿勢判別信号６０（０）が付加されて記録されている。したがって、横撮りサムネイル画像は、この姿勢判別信号６０（０）に基づいて、横撮り姿勢の状態で表示される。一方、８および９番の縦撮りサムネイル画像は、撮影姿勢が横撮り姿勢に対して光軸を中心として９０°回転していることを示す姿勢判別信号６０（１）が付加されて記録されている。したがって、縦撮りサムネイル画像は、この姿勢判別信号６０（１）に基づいて、横撮りサムネイル画像に対して光軸を中心として９０°回転させ、かつ縦画像表示領域選択メニュー６６において選択された領域の画像が表示される。ここで全域選択ボタン以外の領域選択ボタンが選択された場合には、縦画像全域のうち選択領域の画像が拡大されて表示部５５に表示される。図９Ａは、縦画像表示領域選択メニュー６６のうち全域選択ボタン６６ａが選択された場合のサムネイル表示例を示す。一方、図９Ｂは上部選択ボタン６６ｂが選択された場合のサムネイル表示例を示す。図９Ｂに示すように、サムネイル画像のうち縦撮りサムネイル画像については、縦画像全域のうち選択領域の画像を拡大表示するので、縦画像全域を表示する場合と比べて視認性に優れている。したがって、縦撮り画像であっても横撮り画像と同等に画像の確認が容易で快適なサムネイル表示を行うことができる。なお、撮影者は、十字操作キー３８を操作して各サムネイル画像を選択することにより、１枚の撮影画像ごとに拡大させて表示することも可能である。【００４４】
次に、表示部５５に横撮り画像のみ、あるいは縦撮り画像のみをサムネイル表示させる場合の表示処理について説明する。図１０は、表示部５５に表示される縦横画像選択メニューを示し、図１１は、横撮りあるいは縦撮り画像のみをサムネイル表示させた場合の表示部５５の表示例を示している。撮影／再生切換操作部３７が再生モードに切換えられた後、ＭＥＮＵ設定操作部３９が押下されると、表示部５５には縦横画像選択メニュー６５が表示される。図１０に示すように縦横画像選択メニュー６５は、横画像選択ボタン６５ａと縦画像選択ボタン６５ｂとから構成される。撮影者は、いずれかの選択ボタンを選択することにより、横撮りサムネイル画像あるいは縦撮りサムネイル画像のみを表示部５５に表示させることができる。【００４５】
図１０において横画像選択ボタン６５ａが選択されると、マイクロコンピュータ３および画像表示制御部１３は、撮影画像フォルダ９０の下の階層に形成された横姿勢画像フォルダ９３ａ内の画像のみを抽出し、抽出した順番で表示部５５に横撮りサムネイル画像を表示させる。この結果、図１１Ａに示すように表示部５５には、横撮りサムネイル画像のみが表示される。【００４６】
一方、縦画像選択ボタン６５ｂが選択されると、マイクロコンピュータ３および画像表示制御部１３は、撮影画像フォルダ９０の下の階層に形成された縦姿勢画像フォルダ９４ａ内の縦撮り姿勢で撮影した画像を抽出し、抽出した順番で表示部５５に縦撮りサムネイル画像を表示させる。このとき画像表示制御部１３は、縦画像表示領域選択メニュー６６において選択された表示領域の画像を表示部５５に表示する。例えば図１１Ｂに示すように、縦画像表示領域選択メニュー６６において上部選択ボタン６６ｂが選択された場合には、画像表示制御部１３は、表示部５５に縦撮り画像中の上部を拡大した画像をサムネイル表示する。また例えば図１１Ｃに示すように、全域選択ボタン６６ａが選択された場合には縦撮り画像全域のサムネイル画像が表示される。【００４７】
このように、デジタルカメラ１は、撮影姿勢別に分類されたフォルダ内に各撮影画像を格納する。したがって、横撮り画像のみ、あるいは縦撮り画像のみを容易に抽出することができ、撮影姿勢の等しいサムネイル画像のみを表示部５５に表示させることができる。また、縦撮り画像を表示させる場合、縦画像全域のうち選択領域の画像を表示するので、縦画像全域を表示する場合と比べて拡大して表示することができる。したがって、縦撮り画像であっても横撮り画像と同等に画像の確認が容易で快適な画像表示を行うことができる。【００４８】
以上のように、実施の形態１に係るデジタルカメラは、姿勢検出部４３を備え、姿勢に応じた姿勢判別信号を撮影画像と共に記録する。したがって、撮影姿勢別に分離して記録することができる。【００４９】
また、本実施の形態に係るデジタルカメラは、縦画像表示領域選択メニューを設け、縦画像全域のうち一部の領域の画像を表示することにより、縦画像全域を表示する場合と比べて拡大して表示することが可能である。したがって、画像の確認が容易で快適な縮小画像およびサムネイル画像を表示することができる。また、縦横画像選択部を設けたことにより、撮影画像を撮影姿勢別に抽出でき、さらに表示部には撮影姿勢が同じ撮影画像のみを表示させることができる。これにより、縦横画像が混在することなく、撮影者に快適なサムネイル表示を提供することができる。【００５０】
なお本実施の形態において、縦画像表示領域選択メニューは、全域選択ボタンと、上部領域選択ボタンと、中央部領域選択ボタンと、下部領域選択ボタンとから構成されたが、これに限られない。縦画像表示領域選択メニューは、複数階層から構成されてもよい。すなわち、縦画像表示領域選択メニューは、全域表示選択ボタンと部分表示選択ボタンとから構成され、さらに部分表示選択ボタンが選択されると、上部・中央部・下部領域を選択可能となるような階層構造を設けてもよい。これにより、メニュー表示を簡略化することができ、撮影者にとって使い勝手がよく利便性の高いデジタルカメラを提供することができる。【００５１】
なお、本実施の形態において、像ブレ補正機構を備えたデジタルカメラを例に挙げて説明したが、これに限られることはなく、像ブレ補正機構を備えていないデジタルカメラにおいても同様の効果を得ることができる。【００５２】
なお、本実施の形態において、縦画像表示領域選択メニュー６６により選択可能な領域は、全域、上部、中央部、下部としたが、これに限られない。２つ以上の任意の画像表示領域を選択するボタンがあればよく、他の領域を表示領域としてもよい。【００５３】
（実施の形態２）
図１２Ａ、Ｂは実施の形態２に係るデジタルカメラに含まれる表示部に表示されるメニュー画面を示している。本実施の形態に係るデジタルカメラは、実施の形態１に係るデジタルカメラとほぼ等しい構成を持つが、以下の点で異なる。すなわち本実施の形態に係るデジタルカメラは、撮影画像を構成する画素の属性を認識する認識処理部を備える点で異なる。よって本実施の形態に係るデジタルカメラは、縦画像全域のうち所定の属性を含む領域の画像を表示することができる点で異なる。以下、実施の形態１と異なる箇所についてのみ説明する。【００５４】
図１２Ａは、表示部５５に表示される縦画像表示領域選択メニュー６７を示している。実施の形態１と同様に、撮影者は縦画像表示領域選択メニューから縦画像全域のうち表示させる領域を選択することができる。縦画像表示領域選択メニュー６７は、全域選択ボタン６７ａ、上部選択ボタン６７ｂ、中央部選択ボタン６７ｃ、下部選択ボタン６７ｄに加え、さらに特定色選択ボタン６７ｅと顔選択ボタン６７ｆとを備える。撮影者は、縦画像表示領域選択メニューのいずれかの選択ボタンを押下することにより、縦画像全域のうち表示領域をあらかじめ選択することができる。【００５５】
次に、縦画像全域のうち所定の属性を含む領域の画像を表示する表示処理について説明する。ここで属性には、色相や彩度、明度、輝度、階調などが含まれ、本実施の形態では例えば特定の色あるいは人物の顔を中心とする領域の画像を表示することができる。図１２Ｂは、表示部５５に表示される特定色選択メニュー６８を示す図である。特定色選択ボタン６７ｅが選択されると、画像表示制御部１３は、特定色選択メニュー６８を表示部５５に表示させる。特定色選択メニュー６８は、複数の異なる色からなる色リスト６８ａと、選択された色を特定色として設定するための選択決定ボタン（ＯＫボタン）６８ｂとを含む。ユーザは、図２の十字操作キーを操作することにより色リスト６８ｂから任意の色を選択することができる。このとき、色リスト６８ａにはあらかじめ設定された色の他に、過去の撮影画像から抽出した任意の色や、撮影者により設定された色を色リストに登録することが可能であり、その登録した色を特定色として選択することも可能である。【００５６】
縦画像表示領域選択メニュー６７のうち、特定色選択ボタンｅが選択されると、色認識部は、撮影画像のデータから、あらかじめ選択された色（特定色）と同一あるいはそれに最も近い色を抽出する。そして図１中のデジタル信号処理部８は、撮影画像全域に対して抽出された色を含む領域の面積の重心を算出する。さらに画像表示制御部１３は、縦画像全域のうち、算出された重心を中心とする領域の画像を表示部５５に表示する。したがって、表示部５５に表示される画像は、縦画像全域を表示する場合と比べて拡大表示できるので視認性に優れている。【００５７】
一方、縦画像表示領域選択メニュー６７のうち顔選択ボタン６７ｆが選択されると、顔認識部は、撮影画像のデータから人間の顔となる領域を抽出する。そしてデジタル信号処理部８は、撮影画像全域に対して顔が占める部分の面積の重心を算出する。そして画像表示制御部１３は、縦画像全域のうち算出された重心を中心とした領域を表示する。したがって、表示部５５に表示される画像は、縦画像全域を表示する場合と比べて拡大表示できるので視認性に優れている。なお、画像表示制御部１３は、撮影画像中に顔が１つの場合にはその顔の重心を、また、顔が複数個ある場合にはそれらの分布の重心を算出し、その重心を中心とする領域の画像を拡大表示させる。【００５８】
図１３Ａは、図７Ｂに示す縦画像を表示するに際し、縦画像表示領域選択メニュー６７のうち特定色選択ボタン６７ｅが選択された場合の表示部を示す。なお、ここではあらかじめ特定色として図中の人間の靴下の色が設定されているものとする。図１３Ａにおいて特定色選択ボタン６７ｅが選択されると、色認識部は撮影画像のデータから特定色と同一あるいは最も近い色を抽出し、抽出された色（図中の人間の靴下の色）が占める領域の面積の重心を算出する。画像表示制御部１３は、縦画像全域のうち算出された重心を中心とする領域の画像を表示部５５に表示する。【００５９】
図１３Ｂは、図７Ｂに示す縦画像を表示するに際し、縦画像表示領域選択メニュー６７のうち顔選択ボタン６７ｆが選択された場合の表示部を示す。図１３Ｂにおいて、顔選択ボタン６７ｆが選択されると、画像表示制御部１３は、撮影画像に含まれる人間の顔を中心とする領域の画像を表示部５５に表示させる。なお、図１３では表示部５５に縮小画像を１枚表示する場合についてのみ示したが、本実施の形態は、サムネイル画像を表示する場合についても同様の表示処理を行うことができる。【００６０】
以上のように、本実施の形態に係るデジタルカメラは、撮影画像中の特定色や顔周辺等の所定の属性を含む領域の画像を拡大して表示することができる。したがって、画像の確認が容易で快適な縮小画像表示あるいはサムネイル画像を表示することができる。【００６１】
なお、実施の形態１および２において、横撮り画像および表示部５５のアスペクト比は４：３としたが、これに限られない。図１４に示すように、例えば横撮り画像および表示部５５のアスペクト比が１６：９である場合においても同様の効果を得ることができる。図１４Ａは、縦撮り画像の姿勢を復元せずに表示部に表示させた場合を示し、図１４Ｂは、姿勢を復元し、縦撮り画像の全域を表示した場合を示す。さらに図１４Ｃは、縦撮り画像中の花びらの色を特定色とし、花びら周辺を拡大表示した場合を示している。このように、撮影画像および表示部のアスペクト比が１６：９の場合についても同様に、視認性の良い縮小画像を表示することができる。またさらに、１６：９のアスペクト比に限られることはなく、任意のアスペクト比であっても同様の効果を得ることができる。特に、撮影画像の長辺長と短辺長との差が大きくなるにつれて、撮影画像全域を表示部に表示するために撮影画像の縮小率を大きくする必要がある。そのため、撮影者にとって縮小画像の確認が困難になることから、このようなアスペクト比を有する撮影画像を表示する場合に本実施の形態および実施の形態１または２に説明した表示方法が有効であることが確認できる。【００６２】
（実施の形態３）
図１５、１６は、実施の形態３に係るデジタルカメラにおいて、撮影画像を表示させた表示部５５の表示例を示している。本実施の形態に係るデジタルカメラは、実施の形態１および２とほぼ等しい構成を持つが、表示部に表示させる撮影画像の縮小率を変化させ、選択領域の画像をさらに拡大して表示することができる点で異なる。以下、実施の形態１および２と異なる点について説明する。【００６３】
図１５Ａは、横画像が縮小表示された場合の表示部５５の表示例を示す図である。図１５Ｂは、縦画像が縮小表示された場合の表示部５５の表示例を示す図である。本実施の形態において横画像と表示部５５とのアスペクト比は、ともに４：３である。そのためデジタルカメラ１は、図１５Ａに示すように横画像全域を表示部５５に表示する場合には表示部５５の余白部分（図中の斜線部分）を最小限に抑えて表示することができる。一方、図１５Ｂに示すように縦画像全域を表示部５５に表示する場合、縦画像と表示部とのアスペクト比は異なることから、縦画像の縦幅を表示部の縦幅以下となるように画像を縮小する必要がある。そのため、縦画像は横画像と比べて小さく表示されることになり、撮影者にとって画像の確認が容易でない場合がある。そこで本実施の形態に係るデジタルカメラは、縦画像の横幅を表示部の横幅を限度として縮小率を変更することができ、表示部に表示される縮小画像の大きさを調整可能としている。【００６４】
図１６ＡおよびＢは、本実施の形態に係るデジタルカメラにおいて、縦画像が縮小表示された場合の表示部５５の表示例を示しており、撮影画像および表示部５５のアスペクト比はともに４：３である。図中の領域５５ｂは、縦画像全域のうち表示部５５に表示されない領域を示している。図１６に示すように、本実施の形態に係るデジタルカメラは、表示部５５に表示する縦画像の横幅を表示部５５の横幅を限度として任意に調整することができる（図１６Ｂ）。すなわち、各撮影画像に応じて縮小率を変更することにより、表示される画像の大きさを調整することができる。なお、縦撮り画像の縦幅は表示部５５の縦幅よりも大きくなるため、縦撮り画像の一部の領域（図中の５５ｂ）は表示されない。【００６５】
以上のように、本実施の形態に係るデジタルカメラは、表示部に表示される画像の縮小率を調整することができるので、表示部における縮小画像の表示面積を大きくし、表示可能領域を有効に活用することができる。したがって、撮影者が特に確認したい領域の画像を表示することができ、縦画像全域を表示する場合と比べて横撮り撮影画像と同サイズあるいは横撮り撮影画像よりも拡大表示することができるので、画像の確認が容易で視認性に優れている。【００６６】
なお、アスペクト比が１６：９等の場合においても同様に、横撮り縮小画像と同サイズの縦撮り画像の一部を表示させるか、縦撮り画像の横幅を表示部５５の横幅と等しくして表示させれば、前述した効果と同様の表示処理を行うことができる。【００６７】
なお、実施の形態１〜３において、各図に示した横撮り画像サイズのサムネイル画像は、横撮り画像に限るものではなく、一部の領域が拡大表示された縦撮りサムネイル画像であってもよい。【００６８】
（実施の形態４）
図１７Ａは、実施の形態４に係るデジタルカメラに含まれる撮影／再生切換操作部を示し、図１７Ｂは表示部に表示されるシーンモード選択メニュー６１を示す図である。本実施の形態に係るデジタルカメラは、実施の形態１〜３とほぼ等しい構成を持つが、さらに撮影モード設定部とシーンモード設定部とを備えている点で異なる。本実施の形態に係るデジタルカメラは、縦画像全域のうち、特に上部領域の画像を表示部に表示する。【００６９】
図１７Ａ中、撮影／再生切換操作部３７ｂは、撮影モードと再生モードに加えてさらにマクロ撮影モード（図中の花のマーク）を備える。ここでマクロ撮影とは、被写体に接写して撮影が可能であり、小さな被写体や被写体の一部を大きく撮影する場合に行われる。【００７０】
また、図１７Ｂは撮影時のシーンモード選択メニュー６１を示しており、シーンモードは、例えばポートレートモード６１ａ、スポーツモード６１ｂ、風景モード６１ｃ、夜景モード６１ｄなどが含まれる。撮影者は、撮影シーンに応じて選択メニュー６１から適切なシーンモードを選択することができる。通常、縦撮り姿勢による撮影は、建物や人物などといった縦長の物体を撮影する場合が多い。また、縦撮り姿勢による撮影は、画面中央より上部にフォーカスが設定されることが多い。そこで本実施の形態に係るデジタルカメラは、縦撮り画像の上部領域を確認する可能性が高い撮影モードおよびシーンモードが選択された場合には、縦画像の上部領域を表示部５５に表示する。具体的には、撮影モードがマクロ撮影モードを除く通常撮影モードにおいて、シーンモード選択メニュー６１のうちポートレートモード６１ａまたは風景モード６１ｃが選択されて撮影された縦画像については、撮影画像の上部領域を表示部５５に表示させる。これにより、撮影者は縦画像全域のうち、表示させたい領域をあらためて設定する必要がなく、撮影者の作業量を軽減させることができる。【００７１】
以上のように、本実施の形態に係るデジタルカメラを用いることにより、縦画像の確認を行う場合には、縦画像全域のうち特に確認したい領域を大きく部分表示させることによって、画像の確認を容易にすることができる。【００７２】
なお、本実施の形態において、縦撮り画像の上部を確認する可能性が高い設定モードの一例として、ポートレートモードあるいは風景モードの場合を示したが、これに限られない。その他の設定モードにおいても縦撮り画像の上部を確認する可能性が高ければ縦画像の上部領域を表示部に表示してもよい。【００７３】
なお、実施の形態１〜４において、撮像光学系を備えるデジタルカメラを示したが、これに限られない。例えば、レンズ交換が可能な一眼レフレックスタイプのデジタルカメラであっても同様の効果を得ることができる。【００７４】
（実施の形態５）
図１８は、実施の形態５に係るデジタルカメラおよび表示装置を示している。本実施の形態に係るデジタルカメラは、実施の形態１〜４とほぼ等しい構成を持つが、撮影画像および縮小画像は、撮影時の姿勢情報に基づいて、撮像装置に接続された外部の表示装置に表示させる点で異なる。図１８に示すように、デジタルカメラ１の画像記録部に姿勢情報とともに記録された撮影画像は、ケーブル７５を介して、テレビモニタ等の表示装置７０に表示される。ケーブル７５は、例えばＵＳＢ（Ｕｎｉｖｅｒｓａｌ  Ｓｅｒｉａｌ  Ｂｕｓ）ケーブルを用いる。表示装置７０に表示される画像は、デジタルカメラ１の画像表示制御部１３により制御されるため、実施の形態１〜３と同様に、撮影時の姿勢を復元した画像およびこれらのサムネイル画像を外部の表示装置に表示することができる。【００７５】
以上の構成により、デジタルカメラに表示部が設けられていない場合や、撮影画像の表示サイズを大きくしたい場合において、デジタルカメラ１を操作することにより、実施の形態１〜４と同様に、撮影時の姿勢を復元した画像を外部のテレビモニタ等に表示することができるので、視認性の良い快適なサムネイル表示が可能で、利便性の高い撮像装置および表示装置を提供することができる。【００７６】
なお、本実施の形態において、外部の表示装置はテレビモニタを用いた例を示したが、これに限られない。例えば、モニタに接続されたパーソナルコンピュータとケーブルを介して接続する構成としてもよい。【００７７】
なお、本実施の形態において、ケーブル７５は、ＵＳＢケーブルを用いた例を示したがこれに限られない。例えば、ＩＥＥＥ１３９４シリアルバス用ケーブルや、無線ＬＡＮ等の無線により接続してもよい。【００７８】
（実施の形態６）
図１９は、実施の形態６に係る表示制御装置を示している。本実施の形態に係るデジタルカメラは、実施の形態１〜５とほぼ等しい構成を持つが、実施の形態１〜４においてデジタルカメラにより行われた表示制御は、表示制御装置８２により行われる点で異なる。例えば、画像処理ソフトを備えたパーソナルコンピュータとモニタなどである。デジタルカメラ１により撮影された画像は、縮小画像および姿勢情報とともに着脱可能なメモリーカードなどのリムーバブルメモリ５１に記録される。なお、リムーバブルメモリ５１はメモリーカードに限られず、ハードディスクや光ディスクなどでもよい。撮影画像は、リムーバブルメモリ５１の読み出しが可能なリムーバブルメモリ挿入部８１と、表示制御装置とを備えた表示装置８０に表示される。表示装置に表示される画像は、リムーバブルメモリ５１に記録された姿勢情報に基づいて、表示制御装置により実施の形態１〜３と同様の表示制御が行われる。【００７９】
以上の構成により、本実施の形態に係る表示制御装置８２は、デジタルカメラ１により得られた撮影画像と、縮小画像と、姿勢情報とを記録したリムーバブルメモリ５１から、これらを読み出し、姿勢情報に基づいて実施の形態１〜３で示した撮影時の姿勢を復元した画像およびこれらのサムネイル画像を表示装置に表示することができる。【００８０】
なお、表示制御装置を備えた表示装置はパーソナルコンピュータの例を示したが、これに限られない。例えば、図２０に示すように、リムーバブルメモリ５１の読み出しが可能なハードディスクレコーダもしくはＤＶＤレコーダ等を介して、テレビモニタに表示してもよい。【００８１】
なお、本実施の形態において、リムーバブルメモリ挿入部８１を備えた表示装置および表示制御装置を用いる例を示したが、これに限られない。例えば、リムーバブルメモリ５１の読み出しが可能なメモリーカードリーダ等の読み取り装置と、表示制御装置と、表示装置とを接続する構成としてもよい。【００８２】
なお、実施の形態１〜６において、１つのシャッター操作部を備えた撮像装置を用いたが、これに限られない。例えば、横撮り姿勢で撮影するシャッター操作部と、縦撮り姿勢で撮影するシャッター操作部とをそれぞれ単独で搭載し、そのシャッター操作部を使用することにより、撮影姿勢の判別を行ってもよい。【００８３】
なお、実施の形態１〜６において、撮影画像は静止画像である場合について示したが、動画あるいは簡易動画等についても同様の効果を得ることができる。
なお、本実施の形態１〜６において、撮影姿勢は、横撮り姿勢の場合を０°として光軸を中心に９０°回転させた姿勢を縦撮り姿勢としたが、−９０°回転させた姿勢としても同様の効果を得ることができる。また、−９０゜回転させた姿勢の姿勢判別信号を（２）とし、横姿勢が１種類、縦姿勢が２種類の合計３種類の姿勢を検出できるようにしてもよい。【００８４】
なお実施の形態１〜６において、姿勢判別信号として、（０）または（１）の信号を付加する方法を用いたが、これに限られない。例えば、縦撮り姿勢においてのみ、信号を付加する方法としてもよい。また、姿勢判別信号は、撮影画像に記録する方法に限らず、撮影画像とは別のファイルに記録し、撮影画像と、姿勢判別信号が記録されたファイルとを対応させる方法を用いてもよい。【００８５】
なお、実施の形態４ないし５において、撮影画像を外部の表示装置に表示する形態としたがこれに限られない。例えば、プリンタなどの印刷手段と接続する形態としても同様の効果を得ることができる。【００８６】
なお、実施の形態１〜６において、表示部のアスペクト比は４：３や１６：９等の横幅を長辺としたが、これに限られない。縦幅を長辺とする表示部であっても同様の効果を得ることができる。
【産業上の利用可能性】
【００８７】
本発明の撮像装置、表示制御装置ならびに表示装置は、撮影画像の表示方法に関し快適な表示が要望されている、デジタルスチルカメラ、デジタルビデオカメラ、カメラ機能付きの携帯電話端末およびＰＤＡ、さらにＤＶＤレコーダおよびハードディスクレコーダなどに好適である。
【図１】
2007023704.tif 000002
【図２Ａ】
2007023704.tif 000003
【図２Ｂ】
2007023704.tif 000004
【図３】
2007023704.tif 000005
【図４】
2007023704.tif 000006
【図５】
2007023704.tif 000007
【図６】
2007023704.tif 000008
【図７Ａ】
2007023704.tif 000009
【図７Ｂ】
2007023704.tif 000010
【図８Ａ】
2007023704.tif 000011
【図８Ｂ】
2007023704.tif 000012
【図８Ｃ】
2007023704.tif 000013
【図９Ａ】
2007023704.tif 000014
【図９Ｂ】
2007023704.tif 000015
【図１０】
2007023704.tif 000016
【図１１Ａ】
2007023704.tif 000017
【図１１Ｂ】
2007023704.tif 000018
【図１１Ｃ】
2007023704.tif 000019
【図１２Ａ】
2007023704.tif 000020
【図１２Ｂ】
2007023704.tif 000021
【図１３Ａ】
2007023704.tif 000022
【図１３Ｂ】
2007023704.tif 000023
【図１４Ａ】
2007023704.tif 000024
【図１４Ｂ】
2007023704.tif 000025
【図１４Ｃ】
2007023704.tif 000026
【図１５Ａ】
2007023704.tif 000027
【図１５Ｂ】
2007023704.tif 000028
【図１６Ａ】
2007023704.tif 000029
【図１６Ｂ】
2007023704.tif 000030
【図１７Ａ】
2007023704.tif 000031
【図１７Ｂ】
2007023704.tif 000032
【図１８】
2007023704.tif 000033
【図１９】
2007023704.tif 000034
【図２０Ａ】
2007023704.tif 000035
【図２０Ｂ】
2007023704.tif 000036
【図２０Ｃ】
2007023704.tif 000037
【図２１】
2007023704.tif 000038
【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
被写体の光学的な像を電気的な画像信号として出力する撮像装置であって、
前記画像信号に基づき画像を表示する表示部と、
被写体の光学的な像を形成する撮像光学系と、
前記撮像光学系によって形成された光学的な像を受光し、光学的な像を電気的な画像信号に変換する撮像部と、
撮影時の前記撮像装置の姿勢を検出する姿勢検出部と、
前記撮像部により得られる撮影画像と、前記姿勢検出部により検出され当該撮影画像に対応する前記撮像装置の姿勢に関する姿勢情報とを記録する記録部と、
前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる画像表示制御部とを備える、撮像装置。
【請求項２】
交換可能な撮影光学系により形成された被写体の光学的な像を電気的な画像信号として出力する撮像装置であって、
前記画像信号に基づき画像を表示する表示部と、
装着された前記撮像光学系により形成された光学的な像を受光し、光学的な像を電気的な画像信号に変換する撮像部と、
撮影時の前記撮像装置の姿勢を検出する姿勢検出部と、
前記撮像部により得られる撮影画像と、前記姿勢検出部により検出され当該撮影画像に対応する前記撮像装置の姿勢に関する姿勢情報とを記録する記録部と、
前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる画像表示制御部とを備える、撮像装置。
【請求項３】
前記記録部に記録された撮影画像のうち、前記復元後の撮影画像の縦横比が前記表示部の縦横比と異なる前記撮影画像を抽出する画像抽出部をさらに備え、
前記画像表示制御部は、当該抽出された前記撮影画像を前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる、請求項１に記載の撮像装置。
【請求項４】
前記記録部に記録された撮影画像のうち、等しい姿勢情報または縦横比を有する撮影画像を抽出する画像抽出部をさらに備え、
前記画像表示制御部は、当該抽出された前記撮影画像を前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる、請求項１に記載の撮像装置。
【請求項５】
前記画像表示制御部は、前記記録部に記録された前記撮影画像と異なる中心位置を有する前記切り出し画像を前記表示部に表示させる、請求項１に記載の撮像装置。
【請求項６】
前記撮影画像の縮小率を設定する縮小率設定部をさらに備え、
前記画像表示制御部は、前記設定された縮小率に基づいて前記復元後の前記撮影画像を縮小した縮小画像の一部を切り出して、当該切り出し画像を表示部に表示させる、請求項１に記載の撮像装置。
【請求項７】
前記復元後の前記撮影画像の短辺長と前記表示部の長辺長とが略等しくなるように前記撮影画像の縮小率を設定する縮小率設定部をさらに備え、
前記画像表示制御部は、前記設定された縮小率に基づいて前記復元後の前記撮影画像を縮小した縮小画像の一部を切り出して、当該切り出し画像を表示部に表示させることを特徴とする、請求項１に記載の撮像装置。
【請求項８】
前記撮影画像の縮小画像から一部の領域を選択設定する領域選択部をさらに備え、
前記画像表示制御部は、前記復元した前記撮影画像の縮小画像から当該選択された領域を切り出して、当該切り出し画像を前記表示部に表示させる、請求項１に記載の撮像装置。
【請求項９】
前記撮影画像の縮小画像から一部の領域を選択設定する領域選択部と、
前記記録部に記録された前記姿勢情報から縦方向情報を有する撮影画像を抽出する縦画像抽出部とをさらに備え、
前記領域選択部は、前記画像抽出部により抽出された前記撮影画像の上部領域、中央部領域、下部領域のいずれかの領域を選択可能である、請求項１に記載の撮像装置。
【請求項１０】
前記記録部に記録された前記撮影画像に含まれる属性を認識する画像属性認識部と、
前記撮影画像の縮小画像から前記認識された属性を含む領域を選択設定する領域選択部とをさらに備え、
前記画像表示制御部は、前記復元した前記撮影画像の縮小画像から当該選択された領域を切り出して、当該切り出し画像を前記表示部に表示させる、請求項１に記載の撮像装置。
【請求項１１】
前記記録部に記録された前記撮影画像から特定の色を認識する色認識部と、
前記撮影画像の縮小画像から前記認識された特定の色を含む領域を選択設定する領域選択部とをさらに備え、
前記画像表示制御部は、前記復元した前記撮影画像の縮小画像から当該選択された領域を切り出して、当該切り出し画像を前記表示部に表示させる、請求項１に記載の撮像装置。
【請求項１２】
前記記録部に記録された前記撮影画像から被写体の顔領域を認識する顔認識部と、
前記撮影画像の縮小画像から前記認識された顔領域を選択設定する領域選択部とをさらに備え、
前記画像表示制御部は、前記復元した前記撮影画像の縮小画像から当該選択された領域
を切り出して、当該切り出し画像を前記表示部に表示させる、請求項１に記載の撮像装置。
【請求項１３】
前記記録部に記録された前記姿勢情報から縦方向情報を有する撮影画像を抽出する縦画像抽出部をさらに備え、
前記画像表示制御部は、当該抽出された前記撮影画像の短辺長が前記表示部の長辺長と略等しくなるように当該撮影画像を縮小し、当該縮小画像の上端を含む領域を切り出して、当該切り出し画像を前記表示部に表示させる、請求項１に記載の撮像装置。
【請求項１４】
被写体の光学的な像を電気的な画像信号として出力し、表示部に接続可能な撮像装置であって、
被写体の光学的な像を形成する撮像光学系と、
前記撮像光学系によって形成された光学的な像を受光し、光学的な像を電気的な画像信号に変換する撮像部と、
撮影時の前記撮像装置の姿勢を検出する姿勢検出部と、
前記撮像部により得られる撮影画像と、前記姿勢検出部により検出され当該撮影画像に対応する前記撮像装置の姿勢に関する姿勢情報とを記録する記録部と、
前記記録部に記録された前記撮影画像の表示を制御する制御信号を生成する画像表示制御部と、
当該生成された制御信号と、前記撮影画像とを前記表示部に供給する出力部とを備え、
前記制御信号は、前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる信号を含む、撮像装置。
【請求項１５】
表示部に接続可能な表示制御装置であって、
記録部に記録された撮影画像と前記撮影画像に対応する撮像装置の姿勢に関する姿勢情報とを読み出す読み出し部と、
前記撮影画像の縮小画像を表示させる制御信号を生成する画像表示制御部と、
前記読み出された前記撮影画像と前記姿勢情報とを前記表示部に供給する出力部とを備え、
前記制御信号は、前記姿勢情報に基づいて前記撮影画像の天地方向を撮影時における前記撮像装置の前記姿勢に復元し、復元した当該撮影画像の縮小画像の一部を切り出して、当該切り出し画像を前記表示部に表示させる信号を含む、表示制御装置。
【請求項１６】
前記記録部に記録された撮影画像のうち、等しい姿勢情報または縦横比を有する撮影画像を抽出する画像抽出部をさらに備え、
前記制御信号は、前記姿勢情報に基づいて当該抽出された撮影画像の天地方向を撮影時における前記撮像装置の前記姿勢に復元し、復元した当該撮影画像の縮小画像の一部を切り出して、当該切り出し画像を前記表示部に表示させる信号を含むことを特徴とする、請求項１５に記載の表示制御装置。
【請求項１７】
前記制御信号は、前記切り出し画像の表示枚数を制御可能な信号を含むことを特徴とする、請求項１４または１５のいずれかに記載の撮像装置。
【手続補正２】
【補正対象書類名】明細書
【補正対象項目名】全文
【補正方法】変更
【補正の内容】
【発明の詳細な説明】
【技術分野】
【０００１】
本発明は、撮像装置により撮影された画像の表示方法に関し、より特定的には、撮像装置の姿勢情報に基づいて撮影画像の表示方法を制御する撮像装置、表示制御装置および表示装置に関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサおよび信号処理回路の集積度が向上し、かつ安価に提供できるようになったため、被写体の光学的な像を電気的な画像信号に変換して出力可能なデジタルスチルカメラやデジタルビデオカメラ（以下、単にデジタルカメラという）が急速に普及している。
【０００３】
図２０は、デジタルカメラの姿勢と表示部に表示される撮影画像の姿勢との関係を示す図である。図２０に示すように、撮影者は撮影意図に応じ、デジタルカメラ１００の姿勢を変化させて撮影を行う。例えば、風景など横長の被写体を撮影する場合、撮影者はデジタルカメラ１００の姿勢を横状態として撮影を行う。一方、人物や建物など縦長の被写体を撮影する場合、撮影者はデジタルカメラ１００の姿勢を縦状態として撮影を行う。以下、図２０Ａに示すように、シャッターボタンのストローク方向が、重力方向に対して平行になるときのデジタルカメラ１００の姿勢を横撮り姿勢という。また、図２０Ｂに示すように、シャッターボタンのストローク方向が、重力方向に対して直交するときのデジタルカメラ１００の姿勢を縦撮り姿勢という。さらに、横撮り姿勢で撮影された画像を横撮り画像あるいは横画像といい、縦撮り姿勢で撮影された画像を縦撮り画像あるいは縦画像という。従来のデジタルカメラ１００において、撮影画像は、撮影時のデジタルカメラ１００の姿勢と同じ向きで表示されていた。すなわち、図２０Ｂに示すように縦撮り姿勢で撮影した画像を、図２０Ｃに示すように、デジタルカメラ１００を横状態として、表示部に表示させた場合、表示される撮影画像の天地方向は撮影時の天地方向と異なって表示される。したがって、縦撮り画像および横撮り画像が混在する一連の撮影画像を表示する際、縦撮り画像の天地が撮影時の天地と異なるために見づらくなるという問題があった。
【０００４】
この問題に対して、撮像装置に光電変換手段の回転状態を検出する回転状態検出手段と、光電変換手段の出力に基づき得られる画像情報に、撮像時における回転状態情報を付加する付加手段とを設ける技術が提案されている（特許文献１）。
【０００５】
回転状態情報を撮像画像信号に付加することにより、撮影時のデジタルカメラの撮影姿勢を検出し、横撮り姿勢あるいは縦撮り姿勢の撮影画像にかかわらず、撮影時の姿勢に応じた表示を行うことができる。
【特許文献１】特開２００１−４５３５４号公報
【発明の開示】
【発明が解決しようとする課題】
【０００６】
撮影者が撮影した複数の画像を表示する際、デジタルカメラに設けられた表示部２００に撮影画像を一覧表示させる方法がある。各撮影画像は一覧表示するために縮小されて表示される。以下、表示部に複数の画像を一覧表示することをサムネイル表示といい、一覧表示するために縮小された画像をサムネイル画像という。また、横撮り姿勢で撮影された画像のサムネイル画像を横撮りサムネイル画像といい、縦撮り姿勢で撮影された画像のサムネイル画像を縦撮りサムネイル画像という。
【０００７】
図２１に示すように、特許文献１に記載された発明によれば、撮影画像をサムネイル表
示する場合、横撮り画像あるいは縦撮り画像にかかわらず、撮影時の姿勢に応じた表示を行うことができる。しかしながら、表示部２００に表示される縦撮りサムネイル画像は、横撮りサムネイル画像と比べて横方向に表示される範囲が狭く、拡大して表示することができない。したがって、表示部２００に表示される縦撮りサムネイル画像の大きさは、横撮りサムネイル画像の大きさと比べて小さく表示されることになり、撮影者にとって見づらく、視認性が悪いという問題があった。
【０００８】
そこで本発明の目的は、撮影画像を縮小表示する際、撮影時の撮像装置の姿勢に応じて表示を行うことにより、撮影姿勢に関わらず、視認性の良い快適な縮小画像表示を可能とする撮像装置、さらに、これを可能とする表示制御装置および表示装置を提供することにある。
【０００９】
また本発明の目的は、撮影画像を縮小表示する際、縦撮り画像を十分に見やすい縮小率で表示させることにより、視認性の良い快適な縮小画像表示を可能とする撮像装置、表示制御装置および表示装置を提供することにある。
【課題を解決するための手段】
【００１０】
本発明の目的は、以下の構成を備えた撮像装置により達成される。被写体の光学的な像を電気的な画像信号として出力する撮像装置であって、
画像信号に基づき画像を表示する表示部と、
被写体の光学的な像を形成する撮像光学系と、
撮像光学系によって形成された光学的な像を受光し、光学的な像を電気的な画像信号に変換する撮像部と、
撮影時の撮像装置の姿勢を検出する姿勢検出部と、
撮像部により得られる撮影画像と、姿勢検出部により検出され撮影画像に対応する撮像装置の姿勢に関する姿勢情報とを記録する記録部と、
姿勢情報に基づいて撮影画像の天地方向を撮影時における撮像装置の姿勢に復元し、復元した撮影画像の縮小画像の一部を切り出して、切り出し画像を表示部に表示させる画像表示制御部とを備える。
【００１１】
本発明の目的は、以下の構成を備えた撮像装置によって達成される。交換可能な撮影光学系により形成された被写体の光学的な像を電気的な画像信号として出力する撮像装置であって、
画像信号に基づき画像を表示する表示部と、
装着された撮像光学系により形成された光学的な像を受光し、光学的な像を電気的な画像信号に変換する撮像部と、
撮影時の撮像装置の姿勢を検出する姿勢検出部と、
撮像部により得られる撮影画像と、姿勢検出部により検出され撮影画像に対応する撮像装置の姿勢に関する姿勢情報とを記録する記録部と、
姿勢情報に基づいて撮影画像の天地方向を撮影時における撮像装置の姿勢に復元し、復元した撮影画像の縮小画像の一部を切り出して、切り出し画像を表示部に表示させる画像表示制御部とを備える。
【００１２】
本発明の目的は、以下の構成を備えた撮像装置によって達成される。被写体の光学的な像を電気的な画像信号として出力し、表示部に接続可能な撮像装置であって、
被写体の光学的な像を形成する撮像光学系と、
撮像光学系によって形成された光学的な像を受光し、光学的な像を電気的な画像信号に変換する撮像部と、
撮影時の撮像装置の姿勢を検出する姿勢検出部と、
撮像部により得られる撮影画像と、姿勢検出部により検出され撮影画像に対応する撮像
装置の姿勢に関する姿勢情報とを記録する記録部と、
記録部に記録された撮影画像の表示を制御する制御信号を生成する画像表示制御部と、
生成された制御信号と、撮影画像とを表示部に供給する出力部とを備え、
制御信号は、姿勢情報に基づいて撮影画像の天地方向を撮影時における撮像装置の姿勢に復元し、復元した撮影画像の縮小画像の一部を切り出して、切り出し画像を表示部に表示させる信号を含む。
【００１３】
本発明の目的は、以下の構成を備えた表示制御装置によって達成される。表示部に接続可能な表示制御装置であって、
記録部に記録された撮影画像と撮影画像に対応する撮像装置の姿勢に関する姿勢情報とを読み出す読み出し部と、
撮影画像の縮小画像を表示させる制御信号を生成する画像表示制御部と、
読み出された撮影画像と姿勢情報とを表示部に供給する出力部とを備え、
制御信号は、姿勢情報に基づいて撮影画像の天地方向を撮影時における撮像装置の姿勢に復元し、復元した撮影画像の縮小画像の一部を切り出して、切り出し画像を表示部に表示させる信号を含む。
【発明の効果】
【００１４】
本発明によれば、撮影画像を縮小表示する際、撮影時の撮像装置の姿勢に応じて表示を行うことにより、撮影姿勢に関わらず、快適な縮小画像表示を可能とする撮像装置、さらに、これを可能とする表示制御装置および表示装置を提供することができる。
【００１５】
また本発明によれば、撮影画像を縮小表示する際、縦撮り画像を十分に見やすい縮小率で表示させることにより、快適な縮小画像表示を可能とする撮像装置、表示制御装置および表示装置を提供することができる。
【発明を実施するための最良の形態】
【００１６】
（実施の形態１）
図１は、本発明の実施の形態１に係るデジタルカメラ１の概略構成を示すブロック図である。図１において、デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、表示部５５と、シャッター制御部４１と、シャッター駆動モータ４２とを備えている。
【００１７】
撮像光学系Ｌは、３つのレンズ群Ｌ１、Ｌ２、Ｌ３を含む光学系である。第１レンズ群Ｌ１は、光軸方向に移動することによりフォーカシングを行い、第３レンズ群Ｌ３は、光軸方向に移動することによりズーミングを行う。また、第２レンズ群Ｌ２は、補正レンズ群であって、光軸に垂直な面内を移動することにより光軸を偏心させて画像の動きを補正する役割を果たしている。
【００１８】
機械的な振動や撮影者による揺れ等がデジタルカメラ１に加わると、被写体からレンズに向かって照射される光のうち被写体像の形成に寄与する光の光軸は、レンズの光軸とずれる。したがって、得られる画像は不鮮明な画像となる。これを防ぐための防止機構を、以下像ブレ補正機構という。
【００１９】
マイクロコンピュータ３は、デジタルカメラ１の各種の制御部全体を制御する。また、マイクロコンピュータ３は、電源スイッチ３５、シャッター操作部３６、撮影／再生切換操作部３７、十字操作キー３８、ＭＥＮＵ設定操作部３９およびＳＥＴ操作部４０からの信号を、それぞれ受信可能である。
【００２０】
シャッター制御部４１は、シャッター操作部３６の操作によるタイミング信号により、マイクロコンピュータ３からの制御信号に基づいて、シャッター駆動モータ４２を駆動し、シャッターを動作させる。
【００２１】
撮像センサ４は、ＣＣＤであり、撮影光学系Ｌにより形成される光学的な像を電気的な信号に変換する。撮像センサ４は、ＣＣＤ駆動制御部５により駆動制御される。なお、撮像センサ４は、ＣＭＯＳでもよい。
【００２２】
撮像センサ４から出力された画像信号は、アナログ信号処理部６から、Ａ／Ｄ変換部７、デジタル信号処理部８、バッファメモリ９、画像圧縮部１０へと、順次送られて処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号に対してノイズ除去や輪郭強調等のデジタル信号処理を施す。バッファメモリ９は、ＲＡＭ（Ｒａｎｄｏｍ  Ａｃｃｅｓｓ  Ｍｅｍｏｒｙ）であり、デジタル信号処理部８により処理された画像信号を一旦記憶する。
【００２３】
さらに、バッファメモリ９に記憶された画像信号は、画像圧縮部１０から画像記録部１２へと、順次送られて処理される。バッファメモリ９に記憶された画像信号は、画像記録制御部１１の指令により読み出されて画像圧縮部１０に送信され、画像信号のデータは所定の大きさに圧縮される。この際、画像信号は、所定の比率で圧縮され、そのデータサイズが小さくなる。この圧縮方法として、例えばＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。また同時に、画像圧縮部１０はサムネイル表示等に用いられる撮影画像に対応する縮小画像信号についても生成する。その後、圧縮された画像信号および縮小画像信号は、画像記録部１２へ送信される。
【００２４】
画像記録部１２は、さらに内部メモリ５０および／又は着脱可能なリムーバブルメモリ５１により構成され、画像記録制御部１１の指令に基づいて、画像信号と、対応する縮小画像信号と、記録すべき所定の情報とを関連付けて記録する。これらの画像信号とともに記録すべき所定の情報は、画像を撮影した際の日時と、焦点距離情報と、シャッタースピード情報と、絞り値情報と、撮影モード情報と、後述するデジタルカメラ１の姿勢情報とを含む。
【００２５】
画像表示制御部１３は、マイクロコンピュータ３からの制御信号により制御される。この画像表示制御部１３の指令により、表示部５５は、画像記録部１２あるいはバッファメモリ９に記録された画像信号を可視画像として表示する。表示部５５の表示形態は、画像信号のみの表示形態と、画像信号の撮影時の情報を表示する形態とがある。画像信号の撮影時の情報は、焦点距離情報と、シャッタースピード情報と、絞り値情報と、撮影モード情報と、合焦状態情報と、姿勢情報とを含む。これらの情報は、ＭＥＮＵ設定操作部３９の操作により表示される。
【００２６】
次に、実施の形態１に係るデジタルカメラ１の構成について、図２を用いて説明する。図２Ａは、デジタルカメラ１の上面図、図２Ｂは、デジタルカメラ１の背面図である。
【００２７】
筐体１ａは、前面にレンズ２を含む撮像光学系を備え、背面に電源スイッチ３５と、撮影／再生切換操作部３７と、十字操作キー３８と、ＭＥＮＵ設定操作部３９と、ＳＥＴ操作部４０と、アスペクト比が４：３の液晶モニタからなる表示部５５とを含む。さらに、筐体１ａの上面は、シャッター操作部３６と、ズーム操作部５７とを備える。
【００２８】
ズーム操作部５７は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換えを行う操作部材であり、レバーを回動させることにより切換えを行う。マイクロコンピュータ３は、撮影モードに切換えられた状態でズーム操作部５７が右方向へ回動されると撮影光学系Ｌを望遠側へ移動するように制御し、左方向へ回動されると撮影光学系Ｌを広角側へ移動するように制御する。ＭＥＮＵ設定操作部３９は、表示部５５に各種メニューを表示させるための操作部材である。十字操作キー３８は、ＭＥＮＵ設定操作部３９が操作されることにより表示部５５に表示される各種操作メニューから所望のメニューを選択するための操作部材であり、上下左右の選択ボタンを有する。十字操作キー３８により各種操作メニューが選択されると、マイクロコンピュータ３は選択されたメニューの実行指令を出す。ＳＥＴ操作部４０は、各種操作メニューの表示を、表示前の状態に戻すための操作部材である。
【００２９】
次に、本実施の形態に係るデジタルカメラ１の姿勢を検出する姿勢検出部４３について説明する。現在世の中には様々な姿勢検出部がある。その一例として特許文献１に開示されているように回転検出装置を取り付けたものがある。あるいは、撮像装置に加わる振動を検知して、撮像光学系の補正レンズを光軸と直交する２方向に駆動する像ブレ補正装置を備えたデジタルカメラにおいて、補正レンズを駆動させるための信号を検出することにより、撮像装置の姿勢を判別するものであってもよい。さらに、これらの姿勢検出部を備えてもよいし、また、これらに限らずデジタルカメラに角速度センサ等を取り付けてもよく、つまり、その方法によらず姿勢を検出する構成を備えていればよい。
【００３０】
次に、本実施の形態に係るデジタルカメラ１の動作について、図３を用いて説明する。ここで、横撮りの姿勢におけるデジタルカメラ１の姿勢を基準とし、そのときの角度を０°とする。また、縦撮りの姿勢におけるデジタルカメラ１の姿勢は、横撮り姿勢から光軸を中心として９０°回転させた状態となる。
【００３１】
図３は撮影姿勢別の姿勢判別信号を示す図である。撮影者が撮影する際には、まず電源スイッチ３５をＯＮ側とした後、撮影／再生切換操作部３７を撮影モードに切り替える。これにより、デジタルカメラ１は撮影可能な状態へ移行する。
【００３２】
撮影者が横撮り姿勢で、風景など横長の被写体を撮影する場合について説明する。姿勢検出部４３の出力値から、マイクロコンピュータ３は、デジタルカメラ１の姿勢が横撮り姿勢であることを判別する。この状態で撮影者は、シャッター操作部３６を押すことにより、被写体を撮影することができる。ここで、横撮り姿勢により撮影された画像のアスペクト比は４：３となる。そして撮影された画像は、画像記録部１２に記録される。この際、図３に示すように、画像記録制御部１１は、デジタルカメラ１の撮影姿勢が０°であったことを示す姿勢判別信号６０（０）を、バッファメモリ９から出力される画像信号に付加する。この姿勢判別信号６０は、例えば画像信号のヘッダーあるいはフッター部分に記録される。なお、姿勢判別信号６０を記録する場所は、バッファメモリ９あるいは画像記録部１２内のいずれにおいて行ってもよい。
【００３３】
一方、撮影者が縦撮り姿勢で、人物など縦長の被写体を撮影する場合、横撮り姿勢の場合と同様に、姿勢検出部４３の出力値から、マイクロコンピュータ３は、デジタルカメラ１の姿勢が縦撮り姿勢であることを判別する。この状態で撮影者は、シャッター操作部３６を押すことにより、被写体を撮影することができる。ここで、縦撮り姿勢にて撮影された画像のアスペクト比は３：４となる。そして撮影された画像は、画像記録部１２に記録される。この際、画像記録制御部１１は、デジタルカメラ１の撮影姿勢が光軸を中心として横撮り姿勢から９０°回転した縦撮り姿勢であったことを示す姿勢判別信号６０（１）
を、バッファメモリ９から出力される画像信号に付加する。
【００３４】
次に、撮影した画像ファイルの管理方法について図４および図５を用いて説明する。図４において、内部メモリ５０またはリムーバブルメモリ５１に、撮影画像フォルダ９０と、その下の階層に静止画像フォルダ９１および動画像フォルダ９２とが形成される。さらに、静止画像フォルダ９１および動画像フォルダ９２のそれぞれ下の階層に、横姿勢画像フォルダ９３ａおよび９３ｂと縦姿勢画像フォルダ９４ａおよび９４ｂとが形成される。したがって、撮影した画像は、静止画像もしくは動画画像別に、それぞれのフォルダに振り分けられた後、さらに撮影時の撮影姿勢に応じて格納される。静止画撮影モードにおいて撮影された静止画像は、静止画像ファイル９５として、横姿勢画像フォルダ９３ａあるいは縦姿勢画像フォルダ９４ａのいずれかに格納される。一方、動画撮影モードでは、撮影された動画像は、動画像ファイル９６として、横姿勢画像フォルダ９３ｂあるいは縦姿勢画像フォルダ９４ｂのいずれかに格納される。
【００３５】
図５は、撮影画像の記録方法を示し、記録開始から記録終了までのフローチャートを示す。まず、撮影者は撮影画像を記録するために、ＭＥＮＵ設定操作部３９を押し、表示部５５に各種メニュー画面を表示させる。そして、表示された各種メニュー画面から画像記録を選択する。これにより、デジタルカメラ１は、画像記録のモードへ移行する（ステップＳ１）。次に、マイクロコンピュータ３は、撮影モードの判定を行う。すなわちマイクロコンピュータ３は、撮影者が静止画または動画撮影モードのいずれかを選択をしているのかを判断する（ステップＳ２）。
【００３６】
撮影者が静止画撮影モードを選択している場合、マイクロコンピュータ３は、撮影画像の記録先ディレクトリを静止画像フォルダ９１に設定する（ステップＳ３）。そして、デジタルカメラ１の姿勢が姿勢検出部４３により判断される（ステップＳ４）。さらに、撮影画像の格納フォルダは、横撮り姿勢で撮影された場合は横姿勢画像フォルダ９３ａに設定され、一方、縦撮り姿勢で撮影された場合は縦姿勢画像フォルダ９４ａに設定される（ステップＳ５ａおよびＳ５ｂ）。次に、撮影者によりシャッター操作部３６が押されるのを待ち（ステップＳ６）、押された場合には静止画撮影を行い（ステップＳ７）、その後、記録は終了する（ステップＳ８）。この際、撮影された静止画像は、画像ファイル９５ａ、９５ｂとして、横姿勢画像フォルダ９３ａあるいは縦姿勢画像フォルダ９４ａ内に格納される。
【００３７】
一方、撮影者が動画撮影モードを選択している場合、マイクロコンピュータ３は、撮影画像の記録先ディレクトリを動画像フォルダ９２に設定する（ステップＳ９）。そして、デジタルカメラ１の姿勢が、姿勢検出部４３により判断される（ステップＳ１０）。さらに、撮影した画像の格納フォルダは、横撮り姿勢で撮影された場合は横姿勢画像フォルダ９３ｂに設定され、一方、縦撮り姿勢で撮影された場合は縦姿勢画像フォルダ９４ｂに設定される（Ｓｔｅｐ１０）。次に、シャッター操作部３６が押されるのを待ち（Ｓｔｅｐ１２）、押された場合には動画撮影を行い（Ｓｔｅｐ１３）、その後、記録は終了する（Ｓｔｅｐ８）。この際、撮影された動画像は、画像ファイル９６ａ、９６ｂとして、横姿勢画像フォルダ９３ｂあるいは縦姿勢画像フォルダ９４ｂ内に格納される。
【００３８】
次に、撮影画像の表示処理について説明する。図６は、表示部５５に表示される縦画像表示領域選択メニュー６６を示している。縦画像表示領域選択メニュー６６は、全域選択ボタン６６ａ、上部領域選択ボタン６６ｂ、中央部領域選択ボタン６６ｃ、下部領域選択ボタン６６ｄの領域選択ボタンにより構成される。撮影者は、いずれかの領域選択ボタンを押すことにより縦画像全域のうち表示させたい領域をあらかじめ選択することができる。
【００３９】
まず撮影者は、表示部５５に撮影された画像を表示させるために電源スイッチ３５をＯＮとした後、撮影／再生切換操作部３７を再生モードに切換える。これにより、表示部５５には撮影された画像がサムネイル表示される。そして、撮影者はサムネイル表示された画像の中から十字操作キー３８を用いて画像を選択する。以上の操作により、表示部５５には１枚の撮影画像を表示することができる。このとき画像表示制御部１３は、撮影した際に記録された姿勢判別信号６０と、縦画像表示領域選択メニュー６６において選択された表示領域に関する情報とに基づき表示させる画像を制御する。ここで、横撮り姿勢で撮影された画像は、撮影の際に横撮り姿勢であることを示す姿勢判別信号６０（０）が付加されている。したがって、図７Ａに示すように、画像表示制御部１３は、撮影画像の姿勢を撮影時と同じ姿勢に復元して表示部５５に表示させる。
【００４０】
一方、縦撮り姿勢で撮影された画像は、撮影の際に縦撮り姿勢であることを示す姿勢判別信号６０（１）が付加されている。したがって、図７Ｂに示すように、画像表示制御部１３は、撮影画像の姿勢を９０°回転させた状態、すなわち撮影時と同じ姿勢に復元して表示部５５に表示させる。ここで画像表示制御部１３は、縦画像表示領域選択メニュー６６で選択された表示領域の画像を表示する。例えば、縦画像表示領域選択メニュー６６のうち全域選択ボタン６６ａが選択されると、画像表示制御部１３は縦撮り画像全域を表示部５５に表示する。縦画像表示領域選択メニュー６６のうち、上部領域選択ボタン６６ｂが選択されると、画像表示制御部１３は撮影画像の上部領域を表示する。同様に中央部領域選択ボタン６６ｃ、下部領域選択ボタン６６ｄが選択されると、画像表示制御部１３はそれぞれ撮影画像の中央部あるいは下部領域を表示する。図８Ａ、Ｂ、Ｃは、それぞれ縦画像表示領域選択メニュー６６において上部、中央部、下部の各領域選択ボタンが選択された場合の表示部５５の表示状態を示している。図７Ｂに示したように、表示部５５に縦撮り画像全域を表示すると、横撮り画像を表示した場合（図７Ａ）に比べて縮小されて表示される。そこで、縦画像表示領域選択メニュー６６により縦画像全域のうち選択領域のみを表示することにより、縦画像全域を表示する場合と比べて拡大して表示することができる。したがって、縦撮り画像であっても、横撮り画像と同等に画像の確認が容易で快適な縮小画像表示を行うことができる。
【００４１】
次に、サムネイル画像の表示処理について説明する。図９ＡおよびＢは、横撮りサムネイル画像と縦撮りサムネイル画像とが混在して表示された表示部５５の表示例を示している。表示部５５には、１〜９番の９つのサムネイル画像が一覧表示されている。１〜７番の７つのサムネイル画像は、横撮りサムネイル画像であり、８および９番の２つのサムネイル画像は、縦撮りサムネイル画像である。横撮り画像は、撮影姿勢が横撮り姿勢に対して光軸を中心に０°回転していることを示す姿勢判別信号６０（０）が付加されて記録されている。したがって、横撮りサムネイル画像は、この姿勢判別信号６０（０）に基づいて、横撮り姿勢の状態で表示される。一方、８および９番の縦撮りサムネイル画像は、撮影姿勢が横撮り姿勢に対して光軸を中心として９０°回転していることを示す姿勢判別信号６０（１）が付加されて記録されている。したがって、縦撮りサムネイル画像は、この姿勢判別信号６０（１）に基づいて、横撮りサムネイル画像に対して光軸を中心として９０°回転させ、かつ縦画像表示領域選択メニュー６６において選択された領域の画像が表示される。ここで全域選択ボタン以外の領域選択ボタンが選択された場合には、縦画像全域のうち選択領域の画像が拡大されて表示部５５に表示される。図９Ａは、縦画像表示領域選択メニュー６６のうち全域選択ボタン６６ａが選択された場合のサムネイル表示例を示す。一方、図９Ｂは上部選択ボタン６６ｂが選択された場合のサムネイル表示例を示す。図９Ｂに示すように、サムネイル画像のうち縦撮りサムネイル画像については、縦画像全域のうち選択領域の画像を拡大表示するので、縦画像全域を表示する場合と比べて視認性に優れている。したがって、縦撮り画像であっても横撮り画像と同等に画像の確認が容易で快適なサムネイル表示を行うことができる。なお、撮影者は、十字操作キー３８を操作して各サムネイル画像を選択することにより、１枚の撮影画像ごとに拡大させて表示す
ることも可能である。
【００４２】
次に、表示部５５に横撮り画像のみ、あるいは縦撮り画像のみをサムネイル表示させる場合の表示処理について説明する。図１０は、表示部５５に表示される縦横画像選択メニューを示し、図１１は、横撮りあるいは縦撮り画像のみをサムネイル表示させた場合の表示部５５の表示例を示している。撮影／再生切換操作部３７が再生モードに切換えられた後、ＭＥＮＵ設定操作部３９が押下されると、表示部５５には縦横画像選択メニュー６５が表示される。図１０に示すように縦横画像選択メニュー６５は、横画像選択ボタン６５ａと縦画像選択ボタン６５ｂとから構成される。撮影者は、いずれかの選択ボタンを選択することにより、横撮りサムネイル画像あるいは縦撮りサムネイル画像のみを表示部５５に表示させることができる。
【００４３】
図１０において横画像選択ボタン６５ａが選択されると、マイクロコンピュータ３および画像表示制御部１３は、撮影画像フォルダ９０の下の階層に形成された横姿勢画像フォルダ９３ａ内の画像のみを抽出し、抽出した順番で表示部５５に横撮りサムネイル画像を表示させる。この結果、図１１Ａに示すように表示部５５には、横撮りサムネイル画像のみが表示される。
【００４４】
一方、縦画像選択ボタン６５ｂが選択されると、マイクロコンピュータ３および画像表示制御部１３は、撮影画像フォルダ９０の下の階層に形成された縦姿勢画像フォルダ９４ａ内の縦撮り姿勢で撮影した画像を抽出し、抽出した順番で表示部５５に縦撮りサムネイル画像を表示させる。このとき画像表示制御部１３は、縦画像表示領域選択メニュー６６において選択された表示領域の画像を表示部５５に表示する。例えば図１１Ｂに示すように、縦画像表示領域選択メニュー６６において上部選択ボタン６６ｂが選択された場合には、画像表示制御部１３は、表示部５５に縦撮り画像中の上部を拡大した画像をサムネイル表示する。また例えば図１１Ｃに示すように、全域選択ボタン６６ａが選択された場合には縦撮り画像全域のサムネイル画像が表示される。
【００４５】
このように、デジタルカメラ１は、撮影姿勢別に分類されたフォルダ内に各撮影画像を格納する。したがって、横撮り画像のみ、あるいは縦撮り画像のみを容易に抽出することができ、撮影姿勢の等しいサムネイル画像のみを表示部５５に表示させることができる。また、縦撮り画像を表示させる場合、縦画像全域のうち選択領域の画像を表示するので、縦画像全域を表示する場合と比べて拡大して表示することができる。したがって、縦撮り画像であっても横撮り画像と同等に画像の確認が容易で快適な画像表示を行うことができる。
【００４６】
以上のように、実施の形態１に係るデジタルカメラは、姿勢検出部４３を備え、姿勢に応じた姿勢判別信号を撮影画像と共に記録する。したがって、撮影姿勢別に分離して記録することができる。
【００４７】
また、本実施の形態に係るデジタルカメラは、縦画像表示領域選択メニューを設け、縦画像全域のうち一部の領域の画像を表示することにより、縦画像全域を表示する場合と比べて拡大して表示することが可能である。したがって、画像の確認が容易で快適な縮小画像およびサムネイル画像を表示することができる。また、縦横画像選択部を設けたことにより、撮影画像を撮影姿勢別に抽出でき、さらに表示部には撮影姿勢が同じ撮影画像のみを表示させることができる。これにより、縦横画像が混在することなく、撮影者に快適なサムネイル表示を提供することができる。
【００４８】
なお、本実施の形態において、縦画像表示領域選択メニューは、全域選択ボタンと、上部領域選択ボタンと、中央部領域選択ボタンと、下部領域選択ボタンとから構成されたが
、これに限られない。縦画像表示領域選択メニューは、複数階層から構成されてもよい。すなわち、縦画像表示領域選択メニューは、全域表示選択ボタンと部分表示選択ボタンとから構成され、さらに部分表示選択ボタンが選択されると、上部・中央部・下部領域を選択可能となるような階層構造を設けてもよい。これにより、メニュー表示を簡略化することができ、撮影者にとって使い勝手がよく利便性の高いデジタルカメラを提供することができる。
【００４９】
なお、本実施の形態において、像ブレ補正機構を備えたデジタルカメラを例に挙げて説明したが、これに限られることはなく、像ブレ補正機構を備えていないデジタルカメラにおいても同様の効果を得ることができる。
【００５０】
なお、本実施の形態において、縦画像表示領域選択メニュー６６により選択可能な領域は、全域、上部、中央部、下部としたが、これに限られない。２つ以上の任意の画像表示領域を選択するボタンがあればよく、他の領域を表示領域としてもよい。
【００５１】
（実施の形態２）
図１２Ａ、Ｂは実施の形態２に係るデジタルカメラに含まれる表示部に表示されるメニュー画面を示している。本実施の形態に係るデジタルカメラは、実施の形態１に係るデジタルカメラとほぼ等しい構成を持つが、以下の点で異なる。すなわち本実施の形態に係るデジタルカメラは、撮影画像を構成する画素の属性を認識する認識処理部を備える点で異なる。よって本実施の形態に係るデジタルカメラは、縦画像全域のうち所定の属性を含む領域の画像を表示することができる点で異なる。以下、実施の形態１と異なる箇所についてのみ説明する。
【００５２】
図１２Ａは、表示部５５に表示される縦画像表示領域選択メニュー６７を示している。実施の形態１と同様に、撮影者は縦画像表示領域選択メニューから縦画像全域のうち表示させる領域を選択することができる。縦画像表示領域選択メニュー６７は、全域選択ボタン６７ａ、上部選択ボタン６７ｂ、中央部選択ボタン６７ｃ、下部選択ボタン６７ｄに加え、さらに特定色選択ボタン６７ｅと顔選択ボタン６７ｆとを備える。撮影者は、縦画像表示領域選択メニューのいずれかの選択ボタンを押下することにより、縦画像全域のうち表示領域をあらかじめ選択することができる。
【００５３】
次に、縦画像全域のうち所定の属性を含む領域の画像を表示する表示処理について説明する。ここで属性には、色相や彩度、明度、輝度、階調などが含まれ、本実施の形態では例えば特定の色あるいは人物の顔を中心とする領域の画像を表示することができる。図１２Ｂは、表示部５５に表示される特定色選択メニュー６８を示す図である。特定色選択ボタン６７ｅが選択されると、画像表示制御部１３は、特定色選択メニュー６８を表示部５５に表示させる。特定色選択メニュー６８は、複数の異なる色からなる色リスト６８ａと、選択された色を特定色として設定するための選択決定ボタン（ＯＫボタン）６８ｂとを含む。ユーザは、図２の十字操作キーを操作することにより色リスト６８ａから任意の色を選択することができる。このとき、色リスト６８ａにはあらかじめ設定された色の他に、過去の撮影画像から抽出した任意の色や、撮影者により設定された色を色リストに登録することが可能であり、その登録した色を特定色として選択することも可能である。
【００５４】
縦画像表示領域選択メニュー６７のうち、特定色選択ボタン６７ｅが選択されると、色認識部は、撮影画像のデータから、あらかじめ選択された色（特定色）と同一あるいはそれに最も近い色を抽出する。そして図１中のデジタル信号処理部８は、撮影画像全域に対して抽出された色を含む領域の面積の重心を算出する。さらに画像表示制御部１３は、縦画像全域のうち、算出された重心を中心とする領域の画像を表示部５５に表示する。したがって、表示部５５に表示される画像は、縦画像全域を表示する場合と比べて拡大表示で
きるので視認性に優れている。
【００５５】
一方、縦画像表示領域選択メニュー６７のうち顔選択ボタン６７ｆが選択されると、顔認識部は、撮影画像のデータから人間の顔となる領域を抽出する。そしてデジタル信号処理部８は、撮影画像全域に対して顔が占める部分の面積の重心を算出する。そして画像表示制御部１３は、縦画像全域のうち算出された重心を中心とした領域を表示する。したがって、表示部５５に表示される画像は、縦画像全域を表示する場合と比べて拡大表示できるので視認性に優れている。なお、画像表示制御部１３は、撮影画像中に顔が１つの場合にはその顔の重心を、また、顔が複数個ある場合にはそれらの分布の重心を算出し、その重心を中心とする領域の画像を拡大表示させる。
【００５６】
図１３Ａは、図７Ｂに示す縦画像を表示するに際し、縦画像表示領域選択メニュー６７のうち特定色選択ボタン６７ｅが選択された場合の表示部を示す。なお、ここではあらかじめ特定色として図中の人間の靴下の色が設定されているものとする。図１３Ａにおいて特定色選択ボタン６７ｅが選択されると、色認識部は撮影画像のデータから特定色と同一あるいは最も近い色を抽出し、抽出された色（図中の人間の靴下の色）が占める領域の面積の重心を算出する。画像表示制御部１３は、縦画像全域のうち算出された重心を中心とする領域の画像を表示部５５に表示する。
【００５７】
図１３Ｂは、図７Ｂに示す縦画像を表示するに際し、縦画像表示領域選択メニュー６７のうち顔選択ボタン６７ｆが選択された場合の表示部を示す。図１３Ｂにおいて、顔選択ボタン６７ｆが選択されると、画像表示制御部１３は、撮影画像に含まれる人間の顔を中心とする領域の画像を表示部５５に表示させる。なお、図１３では表示部５５に縮小画像を１枚表示する場合についてのみ示したが、本実施の形態は、サムネイル画像を表示する場合についても同様の表示処理を行うことができる。
【００５８】
以上のように、本実施の形態に係るデジタルカメラは、撮影画像中の特定色や顔周辺等の所定の属性を含む領域の画像を拡大して表示することができる。したがって、画像の確認が容易で快適な縮小画像表示あるいはサムネイル画像を表示することができる。
【００５９】
なお、実施の形態１および２において、横撮り画像および表示部５５のアスペクト比は４：３としたが、これに限られない。図１４に示すように、例えば横撮り画像および表示部５５のアスペクト比が１６：９である場合においても同様の効果を得ることができる。図１４Ａは、縦撮り画像の姿勢を復元せずに表示部に表示させた場合を示し、図１４Ｂは、姿勢を復元し、縦撮り画像の全域を表示した場合を示す。さらに図１４Ｃは、縦撮り画像中の花びらの色を特定色とし、花びら周辺を拡大表示した場合を示している。このように、撮影画像および表示部のアスペクト比が１６：９の場合についても同様に、視認性の良い縮小画像を表示することができる。またさらに、１６：９のアスペクト比に限られることはなく、任意のアスペクト比であっても同様の効果を得ることができる。特に、撮影画像の長辺長と短辺長との差が大きくなるにつれて、撮影画像全域を表示部に表示するために撮影画像の縮小率を大きくする必要がある。そのため、撮影者にとって縮小画像の確認が困難になることから、このようなアスペクト比を有する撮影画像を表示する場合に本実施の形態および実施の形態１または２に説明した表示方法が有効であることが確認できる。
【００６０】
（実施の形態３）
図１５、１６は、実施の形態３に係るデジタルカメラにおいて、撮影画像を表示させた表示部５５の表示例を示している。本実施の形態に係るデジタルカメラは、実施の形態１および２とほぼ等しい構成を持つが、表示部に表示させる撮影画像の縮小率を変化させ、選択領域の画像をさらに拡大して表示することができる点で異なる。以下、実施の形態１
および２と異なる点について説明する。
【００６１】
図１５Ａは、横画像が縮小表示された場合の表示部５５の表示例を示す図である。図１５Ｂは、縦画像が縮小表示された場合の表示部５５の表示例を示す図である。本実施の形態において横画像と表示部５５とのアスペクト比は、ともに４：３である。そのためデジタルカメラ１は、図１５Ａに示すように横画像全域を表示部５５に表示する場合には表示部５５の余白部分（図中の斜線部分）を最小限に抑えて表示することができる。一方、図１５Ｂに示すように縦画像全域を表示部５５に表示する場合、縦画像と表示部とのアスペクト比は異なることから、縦画像の縦幅を表示部の縦幅以下となるように画像を縮小する必要がある。そのため、縦画像は横画像と比べて小さく表示されることになり、撮影者にとって画像の確認が容易でない場合がある。そこで本実施の形態に係るデジタルカメラは、縦画像の横幅を表示部の横幅を限度として縮小率を変更することができ、表示部に表示される縮小画像の大きさを調整可能としている。
【００６２】
図１６ＡおよびＢは、本実施の形態に係るデジタルカメラにおいて、縦画像が縮小表示された場合の表示部５５の表示例を示しており、撮影画像および表示部５５のアスペクト比はともに４：３である。図中の領域５５ｂは、縦画像全域のうち表示部５５に表示されない領域を示している。図１６に示すように、本実施の形態に係るデジタルカメラは、表示部５５に表示する縦画像の横幅を表示部５５の横幅を限度として任意に調整することができる（図１６Ｂ）。すなわち、各撮影画像に応じて縮小率を変更することにより、表示される画像の大きさを調整することができる。なお、縦撮り画像の縦幅は表示部５５の縦幅よりも大きくなるため、縦撮り画像の一部の領域（図中の５５ｂ）は表示されない。
【００６３】
以上のように、本実施の形態に係るデジタルカメラは、表示部に表示される画像の縮小率を調整することができるので、表示部における縮小画像の表示面積を大きくし、表示可能領域を有効に活用することができる。したがって、撮影者が特に確認したい領域の画像を表示することができ、縦画像全域を表示する場合と比べて横撮り撮影画像と同サイズあるいは横撮り撮影画像よりも拡大表示することができるので、画像の確認が容易で視認性に優れている。
【００６４】
なお、アスペクト比が１６：９等の場合においても同様に、横撮り縮小画像と同サイズの縦撮り画像の一部を表示させるか、縦撮り画像の横幅を表示部５５の横幅と等しくして表示させれば、前述した効果と同様の表示処理を行うことができる。
【００６５】
なお、実施の形態１〜３において、各図に示した横撮り画像サイズのサムネイル画像は、横撮り画像に限るものではなく、一部の領域が拡大表示された縦撮りサムネイル画像であってもよい。
【００６６】
（実施の形態４）
図１７Ａは、実施の形態４に係るデジタルカメラに含まれる撮影／再生切換操作部を示し、図１７Ｂは表示部に表示されるシーンモード選択メニュー６１を示す図である。本実施の形態に係るデジタルカメラは、実施の形態１〜３とほぼ等しい構成を持つが、さらに撮影モード設定部とシーンモード設定部とを備えている点で異なる。本実施の形態に係るデジタルカメラは、縦画像全域のうち、特に上部領域の画像を表示部に表示する。
【００６７】
図１７Ａ中、撮影／再生切換操作部３７ｂは、撮影モードと再生モードに加えてさらにマクロ撮影モード（図中の花のマーク）を備える。ここでマクロ撮影とは、被写体に接写して撮影が可能であり、小さな被写体や被写体の一部を大きく撮影する場合に行われる。
【００６８】
また、図１７Ｂは撮影時のシーンモード選択メニュー６１を示しており、シーンモード
は、例えばポートレートモード６１ａ、スポーツモード６１ｂ、風景モード６１ｃ、夜景モード６１ｄなどが含まれる。撮影者は、撮影シーンに応じて選択メニュー６１から適切なシーンモードを選択することができる。通常、縦撮り姿勢による撮影は、建物や人物などといった縦長の物体を撮影する場合が多い。また、縦撮り姿勢による撮影は、画面中央より上部にフォーカスが設定されることが多い。そこで本実施の形態に係るデジタルカメラは、縦撮り画像の上部領域を確認する可能性が高い撮影モードおよびシーンモードが選択された場合には、縦画像の上部領域を表示部５５に表示する。具体的には、撮影モードがマクロ撮影モードを除く通常撮影モードにおいて、シーンモード選択メニュー６１のうちポートレートモード６１ａまたは風景モード６１ｃが選択されて撮影された縦画像については、撮影画像の上部領域を表示部５５に表示させる。これにより、撮影者は縦画像全域のうち、表示させたい領域をあらためて設定する必要がなく、撮影者の作業量を軽減させることができる。
【００６９】
以上のように、本実施の形態に係るデジタルカメラを用いることにより、縦画像の確認を行う場合には、縦画像全域のうち特に確認したい領域を大きく部分表示させることによって、画像の確認を容易にすることができる。
【００７０】
なお、本実施の形態において、縦撮り画像の上部を確認する可能性が高い設定モードの一例として、ポートレートモードあるいは風景モードの場合を示したが、これに限られない。その他の設定モードにおいても縦撮り画像の上部を確認する可能性が高ければ縦画像の上部領域を表示部に表示してもよい。
【００７１】
なお、実施の形態１〜４において、撮像光学系を備えるデジタルカメラを示したが、これに限られない。例えば、レンズ交換が可能な一眼レフレックスタイプのデジタルカメラであっても同様の効果を得ることができる。
【００７２】
（実施の形態５）
図１８は、実施の形態５に係るデジタルカメラおよび表示装置を示している。本実施の形態に係るデジタルカメラは、実施の形態１〜４とほぼ等しい構成を持つが、撮影画像および縮小画像は、撮影時の姿勢情報に基づいて、撮像装置に接続された外部の表示装置に表示させる点で異なる。図１８に示すように、デジタルカメラ１の画像記録部に姿勢情報とともに記録された撮影画像は、ケーブル７５を介して、テレビモニタ等の表示装置７０に表示される。ケーブル７５は、例えばＵＳＢ（Ｕｎｉｖｅｒｓａｌ  Ｓｅｒｉａｌ  Ｂｕｓ）ケーブルを用いる。表示装置７０に表示される画像は、デジタルカメラ１の画像表示制御部１３により制御されるため、実施の形態１〜３と同様に、撮影時の姿勢を復元した画像およびこれらのサムネイル画像を外部の表示装置に表示することができる。
【００７３】
以上の構成により、デジタルカメラに表示部が設けられていない場合や、撮影画像の表示サイズを大きくしたい場合において、デジタルカメラ１を操作することにより、実施の形態１〜４と同様に、撮影時の姿勢を復元した画像を外部のテレビモニタ等に表示することができるので、視認性の良い快適なサムネイル表示が可能で、利便性の高い撮像装置および表示装置を提供することができる。
【００７４】
なお、本実施の形態において、外部の表示装置はテレビモニタを用いた例を示したが、これに限られない。例えば、モニタに接続されたパーソナルコンピュータとケーブルを介して接続する構成としてもよい。
【００７５】
なお、本実施の形態において、ケーブル７５は、ＵＳＢケーブルを用いた例を示したがこれに限られない。例えば、ＩＥＥＥ１３９４シリアルバス用ケーブルや、無線ＬＡＮ等の無線により接続してもよい。
【００７６】
（実施の形態６）
図１９は、実施の形態６に係る表示制御装置を示している。本実施の形態に係るデジタルカメラは、実施の形態１〜５とほぼ等しい構成を持つが、実施の形態１〜４においてデジタルカメラにより行われた表示制御は、表示制御装置８２により行われる点で異なる。例えば、画像処理ソフトを備えたパーソナルコンピュータとモニタなどである。デジタルカメラ１により撮影された画像は、縮小画像および姿勢情報とともに着脱可能なメモリーカードなどのリムーバブルメモリ５１に記録される。なお、リムーバブルメモリ５１はメモリーカードに限られず、ハードディスクや光ディスクなどでもよい。撮影画像は、リムーバブルメモリ５１の読み出しが可能なリムーバブルメモリ挿入部８１と、表示制御装置とを備えた表示装置８０に表示される。表示装置に表示される画像は、リムーバブルメモリ５１に記録された姿勢情報に基づいて、表示制御装置により実施の形態１〜３と同様の表示制御が行われる。
【００７７】
以上の構成により、本実施の形態に係る表示制御装置８２は、デジタルカメラ１により得られた撮影画像と、縮小画像と、姿勢情報とを記録したリムーバブルメモリ５１から、これらを読み出し、姿勢情報に基づいて実施の形態１〜３で示した撮影時の姿勢を復元した画像およびこれらのサムネイル画像を表示装置に表示することができる。
【００７８】
なお、表示制御装置を備えた表示装置はパーソナルコンピュータの例を示したが、これに限られない。例えば、図１９に示すように、リムーバブルメモリ５１の読み出しが可能なハードディスクレコーダもしくはＤＶＤレコーダ等を介して、テレビモニタに表示してもよい。
【００７９】
なお、本実施の形態において、リムーバブルメモリ挿入部８１を備えた表示装置および表示制御装置を用いる例を示したが、これに限られない。例えば、リムーバブルメモリ５１の読み出しが可能なメモリーカードリーダ等の読み取り装置と、表示制御装置と、表示装置とを接続する構成としてもよい。
【００８０】
なお、実施の形態１〜６において、１つのシャッター操作部を備えた撮像装置を用いたが、これに限られない。例えば、横撮り姿勢で撮影するシャッター操作部と、縦撮り姿勢で撮影するシャッター操作部とをそれぞれ単独で搭載し、そのシャッター操作部を使用することにより、撮影姿勢の判別を行ってもよい。
【００８１】
なお、実施の形態１〜６において、撮影画像は静止画像である場合について示したが、動画あるいは簡易動画等についても同様の効果を得ることができる。
なお、本実施の形態１〜６において、撮影姿勢は、横撮り姿勢の場合を０°として光軸を中心に９０°回転させた姿勢を縦撮り姿勢としたが、−９０°回転させた姿勢としても同様の効果を得ることができる。また、−９０゜回転させた姿勢の姿勢判別信号を（２）とし、横姿勢が１種類、縦姿勢が２種類の合計３種類の姿勢を検出できるようにしてもよい。
【００８２】
なお実施の形態１〜６において、姿勢判別信号として、（０）または（１）の信号を付加する方法を用いたが、これに限られない。例えば、縦撮り姿勢においてのみ、信号を付加する方法としてもよい。また、姿勢判別信号は、撮影画像に記録する方法に限らず、撮影画像とは別のファイルに記録し、撮影画像と、姿勢判別信号が記録されたファイルとを対応させる方法を用いてもよい。
【００８３】
なお、実施の形態４ないし５において、撮影画像を外部の表示装置に表示する形態としたがこれに限られない。例えば、プリンタなどの印刷手段と接続する形態としても同様の
効果を得ることができる。
【００８４】
なお、実施の形態１〜６において、表示部のアスペクト比は４：３や１６：９等の横幅を長辺としたが、これに限られない。縦幅を長辺とする表示部であっても同様の効果を得ることができる。
【産業上の利用可能性】
【００８５】
本発明の撮像装置、表示制御装置ならびに表示装置は、撮影画像の表示方法に関し快適な表示が要望されている、デジタルスチルカメラ、デジタルビデオカメラ、カメラ機能付きの携帯電話端末およびＰＤＡ、さらにＤＶＤレコーダおよびハードディスクレコーダなどに好適である。
【図面の簡単な説明】
【００８６】
【図１】実施の形態１におけるデジタルカメラの制御システムを示すブロック図
【図２Ａ】実施の形態１におけるデジタルカメラの上面図
【図２Ｂ】実施の形態１におけるデジタルカメラの背面図
【図３】実施の形態１に係る撮影姿勢別の姿勢判別信号を示す図
【図４】実施の形態１に係る撮影した画像ファイルの管理方法を説明する図
【図５】実施の形態１に係る撮影画像の記録方法を示し、記録開始から記録終了までのフローチャート
【図６】実施の形態１に係る表示部に表示される縦画像表示領域選択メニューを示す図
【図７Ａ】実施の形態１において横撮り姿勢で撮影された画像の表示例
【図７Ｂ】実施の形態１において縦撮り姿勢で撮影された画像の表示例
【図８Ａ】実施の形態１に含まれる縦画像表示領域選択メニューおいて上部領域選択ボタンが選択された場合の表示部の表示状態を示す図
【図８Ｂ】実施の形態１に含まれる縦画像表示領域選択メニューおいて中央部領域選択ボタンが選択された場合の表示部の表示状態を示す図
【図８Ｃ】実施の形態１に含まれる縦画像表示領域選択メニューおいて下部領域選択ボタンが選択された場合の表示部の表示状態を示す図
【図９Ａ】実施の形態１に含まれる縦画像表示領域選択メニューのうち全域選択ボタンが選択された場合のサムネイル表示例
【図９Ｂ】実施の形態１に含まれる縦画像表示領域選択メニューのうち上部選択ボタンが選択された場合のサムネイル表示例
【図１０】実施の形態１における縦横画像選択メニューの表示例を示す図
【図１１Ａ】実施の形態１に含まれる表示部におけるサムネイル表示例
【図１１Ｂ】実施の形態１に含まれる表示部におけるサムネイル表示例
【図１１Ｃ】実施の形態１に含まれる表示部におけるサムネイル表示例
【図１２Ａ】実施の形態２に含まれる表示部における縦画像表示領域選択メニューの表示例
【図１２Ｂ】実施の形態２に含まれる表示部における特定色選択メニューの表示例
【図１３Ａ】実施の形態２に係る表示部に表示される縦撮り画像の図
【図１３Ｂ】実施の形態２に係る表示部に表示される縦撮り画像の図
【図１４Ａ】実施の形態２に係る表示部に表示される縦撮り画像の図
【図１４Ｂ】実施の形態２に係る表示部に表示される縦撮り画像の図
【図１４Ｃ】実施の形態２に係る表示部に表示される縦撮り画像の図
【図１５Ａ】実施の形態３における表示部に表示される撮影画像を示す図
【図１５Ｂ】実施の形態３における表示部に表示される撮影画像を示す図
【図１６Ａ】実施の形態３に係る表示部に表示される縦撮り画像の拡大率を示す図
【図１６Ｂ】実施の形態３に係る表示部に表示される縦撮り画像の拡大率を示す図
【図１７Ａ】実施の形態４に係るモード設定部を示す図
【図１７Ｂ】実施の形態４に係るモード設定部を示す図
【図１８】実施の形態５に係る撮像装置および表示装置を示す図
【図１９】実施の形態６に係る撮像装置および表示装置を示す図
【図２０Ａ】デジタルカメラの姿勢と表示部に表示される撮影画像の姿勢との関係を示す図
【図２０Ｂ】デジタルカメラの姿勢と表示部に表示される撮影画像の姿勢との関係を示す図
【図２０Ｃ】デジタルカメラの姿勢と表示部に表示される撮影画像の姿勢との関係を示す図
【図２１】サムネイル表示した場合の表示部を示す図
【符号の説明】
【００８７】
１  デジタルカメラ
１ａ  筐体
２  レンズ
３  マイクロコンピュータ
３Ａ  信号処理部
４  撮像センサ
５  ＣＣＤ駆動制御部
６  アナログ信号処理部
７  Ａ／Ｄ変換部
８  デジタル信号処理部
９  バッファメモリ
１０  画像圧縮部
１１  画像記録制御部
１２  画像記録部
１３  画像表示制御部
３５  電源スイッチ
３６  シャッター操作部
３７  撮影／再生切換操作部
３７ｂ  撮影／再生切換操作部
３８  十字操作キー
３９  ＭＥＮＵ設定操作部
４０  ＳＥＴ操作部
４１  シャッター制御部
４２  シャッター駆動モータ
４３  姿勢検出部
５０  内部メモリ
５１  リムーバブルメモリ
５５  表示部
５７  ズーム操作部
６０  姿勢判別信号
６１  シーンモード選択メニュー
６５  縦横画像選択メニュー
６６  縦画像表示領域選択メニュー
６７  縦画像表示領域選択メニュー
７０  表示装置
７５  ケーブル
８０  表示装置
８１  リムーバブルメモリ挿入部
８２  表示制御装置
９０  撮影画像フォルダ
９１  静止画像フォルダ
９２  動画像フォルダ
９３  横姿勢画像フォルダ
９４  縦姿勢画像フォルダ
９５  静止画像ファイル
９６  動画像ファイル
Ｌ  撮像光学系
Ｌ１  第１レンズ群
Ｌ２  第２レンズ群
Ｌ３  第３レンズ群
【手続補正３】
【補正対象書類名】図面
【補正対象項目名】全図
【補正方法】変更
【補正の内容】
【図１】
2007023704.tif 000039
【図２Ａ】
2007023704.tif 000040
【図２Ｂ】
2007023704.tif 000041
【図３】
2007023704.tif 000042
【図４】
2007023704.tif 000043
【図５】
2007023704.tif 000044
【図６】
2007023704.tif 000045
【図７Ａ】
2007023704.tif 000046
【図７Ｂ】
2007023704.tif 000047
【図８Ａ】
2007023704.tif 000048
【図８Ｂ】
2007023704.tif 000049
【図８Ｃ】
2007023704.tif 000050
【図９Ａ】
2007023704.tif 000051
【図９Ｂ】
2007023704.tif 000052
【図１０】
2007023704.tif 000053
【図１１Ａ】
2007023704.tif 000054
【図１１Ｂ】
2007023704.tif 000055
【図１１Ｃ】
2007023704.tif 000056
【図１２Ａ】
2007023704.tif 000057
【図１２Ｂ】
2007023704.tif 000058
【図１３Ａ】
2007023704.tif 000059
【図１３Ｂ】
2007023704.tif 000060
【図１４Ａ】
2007023704.tif 000061
【図１４Ｂ】
2007023704.tif 000062
【図１４Ｃ】
2007023704.tif 000063
【図１５Ａ】
2007023704.tif 000064
【図１５Ｂ】
2007023704.tif 000065
【図１６Ａ】
2007023704.tif 000066
【図１６Ｂ】
2007023704.tif 000067
【図１７Ａ】
2007023704.tif 000068
【図１７Ｂ】
2007023704.tif 000069
【図１８】
2007023704.tif 000070
【図１９】
2007023704.tif 000071
【図２０Ａ】
2007023704.tif 000072
【図２０Ｂ】
2007023704.tif 000073
【図２０Ｃ】
2007023704.tif 000074
【図２１】
2007023704.tif 000075
【国際調査報告】
2007023704.tif 000076
2007023704.tif 000077
2007023704.tif 000078
2007023704.tif 000079